(57)【特許請求の範囲】
【請求項１】
住宅仕様の確定に必要なデータを管理するサーバと、このサーバにネットワークを介して接続された利用者が操作する端末装置と、を含んで構成され、
前記サーバは、
顧客の住宅仕様情報を、この顧客の住宅の識別情報と関連付けて記憶する住宅仕様情報記憶手段と、前記顧客の前記住宅仕様情報を選択入力させるための住宅仕様情報選択入力画面の表示用データを前記端末装置へ送信するとともに、前記住宅仕様情報選択入力画面で選択入力されて前記端末装置から前記ネットワークを介して送信されてくる前記顧客の前記住宅仕様情報を受信する処理を実行する住宅仕様情報選択入力受付処理手段と、
この住宅仕様情報選択入力受付処理手段により受け付けた前記顧客の前記住宅仕様情報を、前記顧客の前記住宅の前記識別情報と関連付けて前記住宅仕様情報記憶手段に記憶させる処理を実行する住宅仕様情報登録処理手段と、
を備えている住宅仕様の確定を支援するための住宅仕様確定支援システムにおいて、
前記住宅仕様情報選択入力画面は、前記顧客の前記住宅を構成する部品のカテゴリの名称であるカテゴリ名称が表示された部品カテゴリカードであって、前記サーバに保存された前記顧客の住宅図面に配置する部品カテゴリカードの座標情報を入力させるための部品カテゴリカード座標情報入力画面を含んで構成され、
前記顧客の前記住宅仕様情報には、前記住宅図面に配置された前記部品カテゴリカードの前記座標情報が含まれ、
前記住宅仕様情報選択入力受付処理手段は、前記部品カテゴリカード座標情報入力画面の表示用データを前記端末装置へ送信するとともに、前記部品カテゴリカード座標情報入力画面で入力されて前記端末装置から前記ネットワークを介して送信されてくる前記部品カテゴリカードの前記座標情報を受信する処理を実行する部品カテゴリカード座標情報入力受付処理手段を含んで構成され、
前記住宅仕様情報登録処理手段は、前記部品カテゴリカード座標情報入力受付処理手段により受け付けた前記部品カテゴリカードの前記座標情報を、前記顧客の前記住宅の前記識別情報と、前記部品の前記カテゴリの識別情報と、に関連付けて前記住宅仕様情報記憶手段に記憶させる処理を実行することを特徴とする住宅仕様確定支援システム。
【請求項２】
請求項１に記載の住宅仕様確定支援システムにおいて、
前記部品カテゴリカード座標情報入力画面の前記表示用データには、前記顧客の前記住宅図面と、前記部品カテゴリカードと、が含まれており、
前記部品カテゴリカード座標情報入力受付処理手段は、前記部品カテゴリカードを前記住宅図面に配置する処理を実行する部品カテゴリカード配置処理手段と、前記住宅図面に配置された前記部品カテゴリカードの前記座標情報を取得する処理を実行する部品カテゴリカード座標情報取得処理手段と、を有し、この部品カテゴリカード座標情報取得処理手段により取得されて前記端末装置から前記ネットワークを介して送信されてくる前記部品カテゴリカードの前記座標情報を受信する処理を実行するものであり、
前記住宅仕様情報登録処理手段は、前記部品カテゴリカード座標情報入力受付処理手段により受け付けた前記部品カテゴリカードの前記座標情報を、前記顧客の前記住宅の前記識別情報と、前記部品の前記カテゴリの前記識別情報と、に関連付けて前記住宅仕様情報記憶手段に記憶させる処理を実行することを特徴とする住宅仕様確定支援システム。
【請求項３】
請求項２に記載の住宅仕様確定支援システムにおいて、
前記サーバは、
このサーバに保存された前記顧客の前記住宅図面と、前記住宅仕様情報記憶手段に記憶された前記顧客の前記部品カテゴリカードの前記座標情報と、に基づき、前記顧客の前記住宅図面に前記部品カテゴリカードが配置された部品カテゴリカード配置後住宅図面を作成する処理を実行する部品カテゴリカード配置後住宅図面作成処理手段と、
この部品カテゴリカード配置後住宅図面作成処理手段により作成された前記部品カテゴリカード配置後住宅図面を前記端末装置へダウンロードする処理を実行する部品カテゴリカード配置後住宅図面ダウンロード処理手段と、
を備えていることを特徴とする住宅仕様確定支援システム。
【請求項４】
請求項３に記載の住宅仕様確定支援システムにおいて、前記部品カテゴリカード配置後住宅図面のデータ形式は、市販のアプリケーションソフトウェアや無料配布されているビューワーソフトウェアで読み込み可能なデータ形式であることを特徴とする住宅仕様確定支援システム。
【請求項５】
請求項１〜４のいずれかに記載の住宅仕様確定支援システムにおいて、前記サーバに保存されている前記顧客の前記住宅図面は、前記端末装置から前記サーバへアップロード可能となっており、前記サーバは、アップロードする前記住宅図面を前記端末装置で選択入力させてこの端末装置から前記ネットワークを介してアップロードされてくる前記住宅図面を前記サーバに保存する処理を実行する住宅図面アップロード処理手段を備えていることを特徴とする住宅仕様確定支援システム。
【請求項６】
請求項１〜５のいずれかに記載の住宅仕様確定支援システムにおいて、前記部品カテゴリカード座標情報入力画面の前記表示用データには、前記部品カテゴリカードを複製するための複製ボタンと、この複製ボタンにより複製された前記部品カテゴリカードを削除するための削除ボタンが含まれていることを特徴とする住宅仕様確定支援システム。
【請求項７】
請求項１〜６のいずれかに記載の住宅仕様確定支援システムにおいて、
前記部品の前記カテゴリには、少なくとも最上位カテゴリと、上位カテゴリと、下位カテゴリと、があり、
前記サーバは、
前記下位カテゴリのカテゴリ名称を、前記最上位カテゴリの識別情報と、前記上位カテゴリの識別情報と、前記下位カテゴリの識別情報と、に関連付けて記憶する部品カテゴリ情報記憶手段と、
前記住宅における前記部品の前記下位カテゴリが配置される場所のパターン名称を、このパターンの識別情報と、前記下位カテゴリの前記識別情報と、に関連付けて記憶する部品カテゴリパターン情報記憶手段と、
を備え、
前記部品カテゴリカード座標情報入力受付処理手段は、前記顧客の前記住宅を構成する前記部品の前記下位カテゴリの前記カテゴリ名称が表示された前記部品カテゴリカードの前記座標情報の前記端末装置からの入力を受け付ける処理を実行するものであり、前記部品カテゴリカードには、前記部品カテゴリ情報記憶手段に記憶された前記下位カテゴリの前記カテゴリ名称と、前記部品カテゴリパターン情報記憶手段に記憶された前記パターン名称と、が表示され、
住宅仕様情報選択入力画面は、前記部品カテゴリ情報記憶手段に記憶された前記下位カテゴリ情報の一覧を表示するとともにこの一覧から、前記部品カテゴリカード座標情報入力画面で前記座標情報を入力する前記部品カテゴリカードの前記下位カテゴリを選択させるための下位カテゴリ表示・選択画面を含んで構成され、
前記住宅仕様情報選択入力受付処理手段は、前記下位カテゴリ表示・選択画面の表示用データを前記端末装置へ送信するとともに、前記下位カテゴリ表示・選択画面で選択されて前記端末装置から前記ネットワークを介して送信されてくる前記下位カテゴリの前記識別情報を受信する処理を実行する下位カテゴリ選択受付処理手段を含んで構成され、
前記住宅仕様情報記憶手段は、前記部品カテゴリカード座標情報入力受付処理手段により受け付けた前記部品カテゴリカードの前記座標情報を、前記顧客の前記住宅の前記識別情報と、前記下位カテゴリの前記識別情報と、前記パターンの前記識別情報と、前記住宅図面の識別情報と、に関連付けて記憶する住宅部品カテゴリパターン座標情報記憶手段を含んで構成され、
前記住宅仕様情報登録処理手段は、前記部品カテゴリカード座標情報入力受付処理手段により受け付けた前記部品カテゴリカードの前記座標情報を、前記顧客の前記住宅の前記識別情報と、前記下位カテゴリの前記識別情報と、前記パターンの前記識別情報と、前記住宅図面の識別情報と、に関連付けて前記住宅部品カテゴリパターン座標情報記憶手段に記憶させる処理を実行することを特徴とする住宅仕様確定支援システム。
【請求項８】
請求項７に記載の住宅仕様確定支援システムにおいて、
前記パターンは、前記顧客毎に追加可能となっているとともに、前記パターン名称は、前記顧客毎に変更可能となっており、
前記住宅仕様情報選択入力画面は、前記パターンの追加入力及びパターン名称の変更入力をさせるための住宅部品カテゴリパターン情報入力画面を含んで構成され、
前記住宅仕様情報選択入力受付処理手段は、前記住宅部品カテゴリパターン情報入力画面の表示用データを前記端末装置へ送信するとともに、前記住宅部品カテゴリパターン情報入力画面で入力されて前記端末装置から前記ネットワークを介して送信されてくる前記パターンの前記識別情報及び前記パターン名称を受信する処理を実行する住宅部品カテゴリパターン情報入力受付処理手段を含んで構成され、
前記住宅仕様情報記憶手段は、前記パターン名称を、前記顧客の前記住宅の前記識別情報と、前記下位カテゴリの前記識別情報と、前記パターンの前記識別情報と、に関連付けて記憶する住宅部品カテゴリパターン情報記憶手段を含んで構成され、
前記住宅仕様情報登録処理手段は、前記住宅部品カテゴリパターン情報入力受付処理手段により受け付けた前記パターン名称を、前記顧客の前記住宅の前記識別情報と、前記下位カテゴリの前記識別情報と、前記パターンの前記識別情報と、に関連付けて前記住宅部品カテゴリパターン情報記憶手段に記憶させる処理を実行することを特徴とする住宅仕様確定支援システム。
【発明の詳細な説明】
【技術分野】
【０００１】
本発明は、住宅仕様の確定を支援するための住宅仕様確定支援システムに係り、例えば、プレハブ住宅の仕様の確定を支援するために利用することができる。
【背景技術】
【０００２】
従来より、コンピュータを利用して住宅仕様の確定を支援するための住宅仕様確定支援システムが提案されている。
【０００３】
下記の特許文献１に示されている住宅仕様確定支援システムは、図１に示されているように、住宅仕様の確定に必要なデータを管理するサーバ１と、このサーバ１にネットワーク２を介して接続された利用者が操作する端末装置３と、を含んで構成されるものであり、サーバ１は、顧客の住宅仕様情報（顧客の住宅を構成する部品の属性情報等）を、この顧客の住宅の識別情報（特許文献１では、顧客の識別情報である顧客ＩＤ）と関連付けて記憶する住宅仕様情報記憶手段を構成する住宅仕様情報テーブル１１（図１参照）等と、前記顧客の前記住宅仕様情報を選択入力させるための住宅仕様情報選択入力画面を構成する部品属性情報選択入力画面１１０（図７参照）等の表示用データを端末装置３へ送信するとともに、部品属性情報選択入力画面１１０等で選択入力されて端末装置３からネットワーク２を介して送信されてくる前記顧客の前記住宅仕様情報を受信する処理を実行する住宅仕様情報選択入力受付処理手段２１（図１参照）と、この住宅仕様情報選択入力受付処理手段２１により受け付けた前記顧客の前記住宅仕様情報を、前記顧客の前記住宅の前記識別情報と関連付けて前記住宅仕様情報記憶手段に記憶させる処理を実行する住宅仕様情報登録処理手段３１（図１参照）と、を備えている。
【先行技術文献】
【特許文献】
【０００４】
【特許文献１】特開２０１０−２５０３５７号公報（図１、図７等）
【発明の概要】
【発明が解決しようとする課題】
【０００５】
ところで、上述した従来の住宅仕様確定支援システムでは、顧客の住宅図面におけるこの顧客の住宅を構成する部品の位置情報（部品がこれから建築される顧客の住宅のどこに配置されるかを把握するための情報）は、例えば「○○は、１階リビングの南側」や「○○は、２階居間の東側」（○○は部品名称）等のように文字情報となっており、このため、住宅メーカー（住宅ディーラー（販売店）を含む）の営業担当者がこの文字情報を上記システムに入力する作業は、非常に煩わしいものとなり、住宅仕様を確定するための顧客との打合せに時間が掛かる要因となっていた。
【０００６】
このため、顧客の住宅図面における部品の位置情報の確定作業を効率化するための工夫が求められていた。
【０００７】
本発明の目的は、顧客の住宅図面におけるこの顧客の住宅を構成する部品の位置情報の確定作業の効率化を図れるようになる住宅仕様確定支援システムを提供するところにある。
【課題を解決するための手段】
【０００８】
本発明に係る住宅仕様確定支援システムは、住宅仕様の確定に必要なデータを管理するサーバと、このサーバにネットワークを介して接続された利用者が操作する端末装置と、を含んで構成され、前記サーバは、顧客の住宅仕様情報を、この顧客の住宅の識別情報と関連付けて記憶する住宅仕様情報記憶手段と、前記顧客の前記住宅仕様情報を選択入力させるための住宅仕様情報選択入力画面の表示用データを前記端末装置へ送信するとともに、前記住宅仕様情報選択入力画面で選択入力されて前記端末装置から前記ネットワークを介して送信されてくる前記顧客の前記住宅仕様情報を受信する処理を実行する住宅仕様情報選択入力受付処理手段と、この住宅仕様情報選択入力受付処理手段により受け付けた前記顧客の前記住宅仕様情報を、前記顧客の前記住宅の前記識別情報と関連付けて前記住宅仕様情報記憶手段に記憶させる処理を実行する住宅仕様情報登録処理手段と、を備えている住宅仕様の確定を支援するための住宅仕様確定支援システムにおいて、前記顧客の前記住宅仕様情報には、前記サーバに保存された前記顧客の住宅図面における前記顧客の前記住宅を構成する部品の座標情報が含まれ、前記住宅仕様情報選択入力画面は、前記部品の前記座標情報を入力させるための住宅部品座標情報入力画面を含んで構成され、前記住宅仕様情報選択入力受付処理手段は、前記住宅部品座標情報入力画面の表示用データを前記端末装置へ送信するとともに、前記住宅部品座標情報入力画面で入力されて前記端末装置から前記ネットワークを介して送信されてくる前記部品の前記座標情報を受信する処理を実行する住宅部品座標情報入力受付処理手段を含んで構成され、前記住宅仕様情報登録処理手段は、前記住宅部品座標情報入力受付処理手段により受け付けた前記部品の前記座標情報を、前記顧客の前記住宅の前記識別情報と、前記部品の識別情報と、に関連付けて前記住宅仕様情報記憶手段に記憶させる処理を実行することを特徴とするものである。
【０００９】
すなわち、本発明では、顧客の住宅仕様情報には、サーバに保存された顧客の住宅図面におけるこの顧客の住宅を構成する部品の座標情報が含まれており、この部品の座標情報は、住宅仕様情報選択入力画面を構成する住宅部品座標情報入力画面で入力されるものとなっている。
【００１０】
そして、住宅仕様情報選択入力受付処理手段を構成する住宅部品座標情報入力受付処理手段は、前記住宅部品座標情報入力画面の表示用データを端末装置へ送信するとともに、前記住宅部品座標情報入力画面で入力されて前記端末装置からネットワークを介して送信されてくる前記部品の前記座標情報を受信する処理を実行するものとなっている。
【００１１】
この後、住宅仕様情報登録処理手段は、前記住宅部品座標情報入力受付処理手段により受け付けた前記部品の前記座標情報を、前記顧客の前記住宅の前記識別情報と、前記部品の識別情報と、に関連付けて住宅仕様情報記憶手段に記憶（新規登録又は更新）させる処理を実行するものとなっている。
【００１２】
前述したように、従来の住宅仕様確定システムでは、顧客の住宅図面におけるこの顧客の住宅を構成する部品の位置情報（部品がこれから建築される顧客の住宅のどこに配置されるかを把握するための情報）は、例えば「○○は、１階リビングの南側」や「○○は、２階居間の東側」（○○は部品名称）等のように文字情報となっており、このため、住宅メーカー（住宅ディーラー（販売店）を含む。以下、同じ。）の営業担当者がこの文字情報を上記システムに入力する作業は、非常に煩わしいものとなり、住宅仕様を確定するための顧客との打合せに時間が掛かる要因となっていた。
【００１３】
しかし、本発明では、上述したように、部品の位置情報は、従来のような端末装置で入力した文字情報ではなく、端末装置で入力した顧客の住宅図面における部品の座標情報、すなわち、数値情報を端末装置で入力するものとなっている。
【００１４】
このため、住宅メーカーの営業担当者が部品の位置情報をシステムに入力する作業は、従来と比較してより簡単なものとなり、部品の位置情報の確定をより迅速に行うことができる。
【００１５】
このように、本発明によると、顧客の住宅図面におけるこの顧客の住宅を構成する部品の位置情報の確定作業の効率化を図れるようになる。
【００１６】
本発明において、住宅部品座標情報入力画面における部品の座標情報の入力方式は任意なものでよく、第１の例は、顧客の住宅図面における部品のＸ座標とＹ座標、すなわち、数値情報そのものを端末装置の入力手段（入力装置）であるキーボード（端末装置の出力手段（出力装置）がタッチパネルである場合には、このタッチパネルに表示されたキーボードを含む）から入力する方式である。また、第２の例は、端末装置の出力手段であるディスプレイに、顧客の住宅図面と、端末装置の入力手段であるマウス、トラックボール、ペンタブレット等のポインティングディバイスで操作可能なカード化、アイコン化した部品と、を表示し、前記ポインティングディバイスで移動させた前記部品の前記住宅図面における座標情報を取得する方式でもよい。
【００１７】
本発明において、部品の座標情報とは、これから仕様を確定させる部品のカテゴリの座標情報でもよく、仕様が確定した部品そのものの、すなわち、仕様が確定し、商品番号（品番）が決定した部品の座標情報でもよい。
【００１８】
前者の場合（部品の座標情報が部品のカテゴリの座標情報である場合）であって、住宅部品座標情報入力画面における部品の座標情報の入力方式を、上述した第２の例とした場合には、前記住宅部品座標情報入力画面の表示用データには、顧客の住宅図面と、部品のカテゴリ名称が表示された部品カテゴリカードと、が含まれるようにし、前記住宅部品座標情報入力受付処理手段は、前記部品カテゴリカードを前記住宅図面に配置する処理を実行する部品カテゴリカード配置処理手段と、前記住宅図面に配置された前記部品カテゴリカードの座標情報を取得する処理を実行する部品カテゴリカード座標情報取得処理手段と、を有し、この部品カテゴリカード座標情報取得処理手段により取得されて前記端末装置から前記ネットワークを介して送信されてくる前記部品カテゴリカードの座標情報を受信する処理を実行するものとし、前記住宅仕様情報登録処理手段は、前記住宅部品座標情報入力受付処理手段により受け付けた前記部品カテゴリカードの前記座標情報を、前記顧客の前記住宅の前記識別情報と、前記部品のカテゴリの識別情報と、に関連付けて前記住宅仕様情報記憶手段に記憶させる処理を実行するものとしてもよい。
【００１９】
これによると、住宅部品座標情報入力画面には、顧客の住宅図面と、部品のカテゴリ名称が表示された部品カテゴリカード、すなわち、部品のカテゴリをカード化したものと、が表示される。
【００２０】
住宅部品座標情報入力画面では、前記部品カテゴリカードを前記住宅図面に配置する処理が、部品カテゴリカード配置処理手段により実行される。この部品カテゴリカード配置処理手段は、具体的には、例えば、前述したポインティングディバイスであるマウス等によるドラッグ操作で、前記部品カテゴリカードを前記住宅図面の適切な位置に配置する処理を実行するものである。
【００２１】
そして、前記住宅図面に配置された前記部品カテゴリカードの座標情報を取得する処理が、前記部品カテゴリカード座標情報取得処理手段により実行される。なお、前記住宅図面は、所定のファイルサイズ（例えば、Ａ３、Ｂ４等の所定の用紙サイズ）にリサイズ処理されている必要があり、これにより、前記部品カテゴリカード座標情報取得処理手段は、前記住宅図面に配置された前記部品カテゴリカードの特定部分（例えば、部品カテゴリカードの重心部分）の前記住宅図面における座標情報を取得することが可能となる。
【００２２】
この後、前記部品カテゴリカード座標情報取得処理手段により取得されて前記端末装置から前記ネットワークを介して送信されてくる前記部品カテゴリカードの座標情報を受信する処理が、前記住宅部品座標情報入力受付処理手段により実行される。
【００２３】
そして、前記住宅部品座標情報入力受付処理手段により受け付けた前記部品カテゴリカードの前記座標情報が、前記顧客の前記住宅の前記識別情報と、前記部品のカテゴリの識別情報と、に関連付けて前記住宅仕様情報記憶手段に記憶させる処理が、前記住宅仕様情報登録処理手段により実行される。
【００２４】
本発明において、前記サーバに保存された前記顧客の前記住宅図面と、前記住宅仕様情報記憶手段に記憶された前記顧客の前記部品カテゴリカードの前記座標情報と、に基づき、前記顧客の前記住宅図面に前記部品カテゴリカードが配置された部品カテゴリカード配置後住宅図面を作成する処理を実行する部品カテゴリカード配置後住宅図面作成処理手段と、この部品カテゴリカード配置後住宅図面作成処理手段により作成された前記部品カテゴリカード配置後住宅図面を前記端末装置へダウンロードする処理を実行する部品カテゴリカード配置後住宅図面ダウンロード処理手段と、を前記サーバに備えるようにしてもよい。
【００２５】
前述したように、従来は、顧客の住宅図面における部品の位置情報は文字情報となっており、住宅の設計部門の担当者は、ＣＡＤシステムを使用して顧客の住宅図面に部品を描画する作業を、前記文字情報を参照しながら行っていたため、部品の描画位置を間違うことがあった。
【００２６】
しかし、上述したように、サーバに、部品カテゴリカード配置後住宅図面作成処理手段と、部品カテゴリカード配置後住宅図面ダウンロード処理手段と、を備えることにより、住宅の設計部門の担当者は、ＣＡＤシステムを使用して顧客の住宅図面に部品を描画する作業を、部品カテゴリカード配置後住宅図面作成処理手段により作成され、端末装置にダウンロードされた部品カテゴリカード配置後住宅図面を参照しながら、より正確かつ容易に行うことできるようになる。
【００２７】
なお、前記部品カテゴリカード配置後住宅図面のデータ形式（言い換えると、ファイルフォーマット）は、任意なものでよいが、市販のアプリケーションソフトウェアや無料配布されているビューワーソフトウェアで読み込み可能なデータ形式であることが好ましい。
【００２８】
すなわち、前記部品カテゴリカード配置後住宅図面のデータ形式は、例えば、市販の表計算ソフトウェアで読み込み可能なスプレッドシート形式でもよく、無料配布されている電子文書ビューワーソフトウェアで読み込み可能な電子文書データ形式でもよく、市販されているＣＡＤソフトウェアで読み込み可能なＣＡＤデータ形式でもよく、市販の画像処理ソフトウェアで読み込み可能な画像データ形式等でもよい。
【００２９】
本発明において、前記サーバに保存されている前記顧客の前記住宅図面は、前記端末装置から前記サーバへアップロード可能となっていることが好ましい。この場合には、アップロードする前記住宅図面を前記端末装置で選択入力させてこの端末装置から前記ネットワークを介してアップロードされてくる前記住宅図面を前記サーバに保存する処理を実行する住宅図面アップロード処理手段を、前記サーバに備えることが好ましい。
【００３０】
なお、前記端末装置から前記サーバへアップロード前記住宅図面のデータ形式は、任意なものでよいが、前記サーバで処理することが容易なデータ形式、例えば、市販の画像処理ソフトウェアで読み込み可能な画像データ形式であることが好ましい。
【００３１】
本発明において、前述したように、前記住宅部品座標情報入力画面の前記表示用データに、前記顧客の前記住宅図面と、前記部品カテゴリカードと、が含まれるようにした場合には、前記住宅部品座標情報入力画面の前記表示用データには、前記部品カテゴリカードを複製するための複製ボタンと、この複製ボタンにより複製された前記部品カテゴリカードを削除するための削除ボタンが含まれるようにしてもよい。
【００３２】
これによると、前記顧客の前記住宅図面に配置する前記部品カテゴリカードを増やすことが容易にでき、また、一度複製した前記部品カテゴリカードの削除を容易にできる。特に、部品カテゴリが、例えば、住宅の内部に多く配置される照明器具である場合には、この照明器具の部品カテゴリカードを容易に複製、削除できるので便利なものとなる。
【００３３】
以上の本発明において、前記部品の前記カテゴリの体系は任意なものでよく、前記部品の前記カテゴリは、例えば、少なくとも最上位カテゴリと、上位カテゴリと、下位カテゴリと、があるものでもよく、これらのカテゴリに加えて、これらの中間のカテゴリが含まれるものでよい。なお、最上位カテゴリ、上位カテゴリ、下位カテゴリは、それぞれ上位カテゴリ、中位カテゴリ、下位カテゴリとしてもよい。
【００３４】
前者の場合において、前記サーバには、前記下位カテゴリのカテゴリ名称を、前記最上位カテゴリの識別情報と、前記上位カテゴリの識別情報と、前記下位カテゴリの識別情報と、に関連付けて記憶する部品カテゴリ情報記憶手段と、前記住宅における前記部品の前記下位カテゴリが配置される場所のパターン名称を、このパターンの識別情報と、前記下位カテゴリの前記識別情報と、に関連付けて記憶する部品カテゴリパターン情報記憶手段と、を備えるようにし、前記住宅部品座標情報入力受付処理手段は、前記顧客の前記住宅を構成する前記部品の前記下位カテゴリの前記座標情報の前記端末装置からの入力を受け付ける処理を実行するものとし、前記部品カテゴリカードには、前記部品カテゴリ情報記憶手段に記憶された前記下位カテゴリの前記カテゴリ名称と、前記部品カテゴリパターン情報記憶手段に記憶された前記パターン名称と、が表示されるようにしてもよい。
【００３５】
また、住宅仕様情報選択入力画面は、前記部品カテゴリ情報記憶手段に記憶された前記下位カテゴリ情報の一覧を表示するとともにこの一覧から、前記住宅部品座標情報入力画面で前記座標情報を入力する前記下位カテゴリを選択させるための下位カテゴリ表示・選択画面を含んで構成されるようにし、前記住宅仕様情報選択入力受付処理手段は、前記下位カテゴリ表示・選択画面の表示用データを前記端末装置へ送信するとともに、前記下位カテゴリ表示・選択画面で選択されて前記端末装置から前記ネットワークを介して送信されてくる前記下位カテゴリの前記識別情報を受信する処理を実行する下位カテゴリ選択受付処理手段を含んで構成されるようにしてもよい。
【００３６】
そして、前記住宅仕様情報記憶手段は、前記住宅部品座標情報入力受付処理手段により受け付けた前記下位カテゴリの前記座標情報を、前記顧客の前記住宅の前記識別情報と、前記下位カテゴリの前記識別情報と、前記パターンの前記識別情報と、前記住宅図面の識別情報と、に関連付けて記憶する住宅部品カテゴリパターン座標情報記憶手段を含んで構成されるようにし、前記住宅仕様情報登録処理手段は、前記住宅部品座標情報入力受付処理手段により受け付けた前記下位カテゴリの前記座標情報を、前記顧客の前記住宅の前記識別情報と、前記下位カテゴリの前記識別情報と、前記パターンの前記識別情報と、前記住宅図面の識別情報と、に関連付けて前記住宅部品カテゴリパターン座標情報記憶手段に記憶させる処理を実行するものとしてもよい。
【００３７】
これによると、前記住宅部品座標情報入力画面では、前記顧客の前記住宅を構成する前記部品の前記下位カテゴリの前記座標情報が入力され、この座標情報を入力する下位カテゴリは、前記部品カテゴリ情報記憶手段に記憶された前記下位カテゴリ情報の一覧を表示する前記下位カテゴリ表示・選択画面で選択される。
【００３８】
そして、前記住宅部品座標情報入力受付処理手段により受け付けた前記下位カテゴリの前記座標情報は、住宅仕様情報登録処理手段により、前記顧客の前記住宅の前記識別情報と、前記下位カテゴリの前記識別情報と、前記パターンの前記識別情報と、前記住宅図面の識別情報と、に関連付けて住宅部品カテゴリパターン座標情報記憶手段を記憶される。
【００３９】
なお、前述した「前記住宅における前記部品の前記下位カテゴリが配置される場所のパターン名称」とは、例えば、下位カテゴリ名称が「サッシ内部色」の場合には、パターン名称は、「１Ｆ」、「２Ｆ」、「３Ｆ」、「ＬＤＫ」、「和室」、「洋間１」、「洋間２」等となる。また、下位カテゴリ名称が「外装材」の場合には、パターン名称は、「バルコニー外側」、「バルコニー内側」、「外部収納」、「カーポート内部」等となる。また、下位カテゴリ名称が「壁付手摺り」の場合には、パターン名称は、「便所１」、「便所２」、「玄関」等となる。なお、パターン名称とは、場所名であることは必須ではなく、「Ｎｏ．１」、「Ｎｏ．２」のようなパターン名称でもよい。
【００４０】
なお、前記サーバには、前記上位カテゴリのカテゴリ名称を、前記最上位カテゴリの識別情報と、前記上位カテゴリの識別情報と、に関連付けて記憶する上位カテゴリ情報記憶手段を備えるようにし、住宅仕様情報選択入力画面は、前記上位カテゴリ情報記憶手段に記憶された前記上位カテゴリ情報の一覧を表示するとともにこの一覧から、前記下位カテゴリ表示・選択画面で選択する前記下位カテゴリが属する前記上位カテゴリを選択させるための上位カテゴリ表示・選択画面を含んで構成されるようにし、前記住宅仕様情報選択入力受付処理手段は、前記上位カテゴリ表示・選択画面の表示用データを前記端末装置へ送信するとともに、前記上位カテゴリ表示・選択画面で選択されて前記端末装置から前記ネットワークを介して送信されてくる前記上位カテゴリの前記識別情報を受信する処理を実行する上位カテゴリ選択受付処理手段を含んで構成されるようにしてもよい。
【００４１】
また、上記の場合において、前記パターンは、前記顧客毎に追加可能となっているとともに、前記パターン名称は、前記顧客毎に変更可能となっているようにしてもよい。
【００４２】
この場合には、前記住宅仕様情報選択入力画面は、前記パターンの追加入力及びパターン名称の変更入力をさせるための住宅部品カテゴリパターン情報入力画面を含んで構成されるようにし、前記住宅仕様情報選択入力受付処理手段は、前記住宅部品カテゴリパターン情報入力画面の表示用データを前記端末装置へ送信するとともに、前記住宅部品カテゴリパターン情報入力画面で入力されて前記端末装置から前記ネットワークを介して送信されてくる前記パターンの前記識別情報及び前記パターン名称を受信する処理を実行する住宅部品カテゴリパターン情報入力受付処理手段を含んで構成されるようにしてもよい。
【００４３】
そして、前記住宅仕様情報記憶手段は、前記パターン名称を、前記顧客の前記住宅の前記識別情報と、前記下位カテゴリの前記識別情報と、前記パターンの前記識別情報と、に関連付けて記憶する住宅部品カテゴリパターン情報記憶手段を含んで構成されるようにし、前記住宅仕様情報登録処理手段は、前記住宅部品カテゴリパターン情報入力受付処理手段により受け付けた前記パターン名称を、前記顧客の前記住宅の前記識別情報と、前記下位カテゴリの前記識別情報と、前記パターンの前記識別情報と、に関連付けて前記住宅部品カテゴリパターン情報記憶手段に記憶させる処理を実行するものとしてもよい。
【００４４】
これによると、前記住宅部品カテゴリパターン情報入力画面において、前記住宅における前記部品の前記下位カテゴリが配置される場所の前記パターンを、前記顧客毎に追加することができるとともに、前記パターン名称を、前記顧客毎に変更することができるようになる。
【００４５】
なお、前記顧客毎に変更可能なパターン名称は、前記住宅部品カテゴリパターン情報入力画面で追加されたパターンのパターン名称だけでなく、前記住宅部品カテゴリパターン情報記憶手段に予め記憶されていて、住宅部品カテゴリパターン情報入力画面に表示されるパターンのパターン名称でもよい。
【００４６】
なお、前記住宅部品カテゴリパターン情報入力画面の前記表示用データには、前記パターンを追加するための追加ボタンと、この追加ボタンにより追加された前記パターンを削除するための削除ボタンが含まれるようにすることが好ましい。
【００４７】
なお、本発明において、「記憶手段に記憶させる処理」とは、記憶手段にデータを新規登録する処理、又は記憶手段に既に登録されているデータ（登録済のデータ）を更新する処理をいう。
【発明の効果】
【００４８】
本発明によると、顧客の住宅図面におけるこの顧客の住宅を構成する部品の位置情報の確定作業の効率化を図れるようになるという効果を得られる。
【図面の簡単な説明】
【００４９】
【図１】図１は、本発明の一実施形態に係る住宅仕様確定支援システムのシステム構成図である。
【図２】図２は、一部を省略した上位カテゴリ表示・選択画面を示す図である。
【図３】図３は、図２に示す上位カテゴリ表示・選択画面の部分拡大図である。
【図４】図４は、下位カテゴリ表示・選択画面及び部品表示・選択画面の全体図である。
【図５】図５は、一部を省略した図４の下位カテゴリ表示・選択画面の拡大図である。
【図６】図６は、一部を省略した図４の部品表示・選択画面の拡大図である。
【図７】図７は、部品（下位カテゴリがバスユニットシリーズ・グレード）の属性情報の選択入力を行うための部品属性情報選択入力画面（顧客モード）を示す図である。
【図８】図８は、図７の画面で部品の属性情報の選択入力が完了したときを示す図である。
【図９】図９は、図７の画面で属性の選択入力が完了した後の下位カテゴリ表示・選択画面及び部品表示・選択画面を示す部分拡大図である。
【図１０】図１０は、図７の画面で部品の属性情報の選択入力が完了した部品（下位カテゴリがバスユニットシリーズ・グレード）を１番左側に表示させた図９と同様の図である。
【図１１】図１１は、部品（本体セット）の属性情報の選択入力を行うための部品属性情報選択入力画面（顧客モード）を示す図であって、部品の属性情報の選択入力が完了したときを示す図である。
【図１２】図１２は、図１１の画面で部品（本体セット）の属性情報の選択入力が完了した後の下位カテゴリ表示・選択画面及び部品表示・選択画面を示す図９と同様の図である。
【図１３】図１３は、部品（本体セット）の属性情報の選択入力を行うための部品属性情報選択入力画面（担当者モード）を示す図であって、部品の属性情報の選択入力が完了したときを示す図である。
【図１４】図１４は、図１３の画面で部品（本体セット）の属性情報の選択入力が完了した後の下位カテゴリ表示・選択画面及び部品表示・選択画面を示す図９と同様の図である。
【図１５】図１５は、部品カテゴリカード座標情報入力画面を示す図である。
【図１６】図１６は、図１５に示す顧客の住宅図面（１階の平面図）の所定の位置に部品カテゴリカードが配置されたときを示す図１５と同様の図である。
【図１７】図１７は、図１６に示す顧客の住宅図面が、縮尺調整スライダーの操作により、縮小表示されたときを示す図である。
【図１８】図１８は、図１５において、顧客の別の住宅図面（２階の平面図）が表示されたときを示す図１５と同様の図である。
【図１９】図１９は、図１５に示す部品カテゴリカードを複製するためのこの図１５に示す複製ボタンが押下されたときに表示される部品カテゴリカード複製処理確認ウィンドウを示す図である。
【図２０】図２０は、図１５に示す複製ボタンにより複製された部品カテゴリカードを削除するための図１５に示す削除ボタンが押下されたときに表示される部品カテゴリカード削除処理確認ウィンドウを示す図である。
【図２１】図２１は、住宅部品カテゴリパターン情報入力画面を示す図であり、この図２１に示すコピー貼付ボタンの押下により、現在選択中のカテゴリパターンの情報を、指定したカテゴリパターンにコピー貼付をするときを示す図である。
【図２２】図２２は、図２１において、この図２１に示す追加ボタンの押下により、カテゴリパターンを追加したときを示す図である。
【図２３】図２３は、図２２において、追加されたカテゴリパターンのパターン名称を編集するためのパターン名称編集ウィンドウを示す図である。
【図２４】図２４は、サーバへアップロードする顧客の住宅図面を指定するためのアップロード住宅図面ファイル指定ウィンドウを示す図である。
【図２５】図２５は、属性情報の選択入力が確定した部品の一覧を示す仕様確定済部品一覧照会画面を示す図である。
【図２６】図２６は、図２５に示す帳票出力ボタンが押下されることにより表示される出力帳票選択メニューウィンドウを示す図である。
【図２７】図２７は、図２６に示す出力帳票選択メニューウィンドウで、部品カテゴリカード配置後住宅図面である図面指示シートが選択されたときに表示される図面指示シート作成処理開始確認ウィンドウを示す図である。
【図２８】図２８は、サーバの部品カテゴリカード配置後住宅図面作成処理手段である図面指示シート作成処理手段により作成された図面指示シートのダウンロード処理開始確認ウィンドウを示す図である。
【図２９】図２９は、図面指示シート保存先指定ウィンドウを示す図である。
【図３０】図３０は、端末装置にダウンロードされた図面指示シートを表計算ソフトウェアで読み込んだときを示す図であって、この図面指示シートのうちの１階の平面図の部分を示す図である。
【図３１】図３１は、端末装置にダウンロードされた図３０に示す図面指示シートのうちの２階の平面図の部分を示す図である。
【発明を実施するための形態】
【００５０】
以下に本発明を実施するための形態を図面に基づいて説明する。図１は、本発明の一実施形態に係る住宅仕様確定支援システムのシステム構成図である。この図１に示すように、本実施形態に係る住宅仕様確定支援システムは、住宅仕様の確定に必要なデータを管理するサーバ１と、このサーバ１にネットワーク２を介して接続された端末装置３と、を含んで構成されている。
【００５１】
サーバ１には、住宅仕様の確定に必要なデータベースを構成するトランザクションデータやマスタデータが備えられている。トランザクションデータは、顧客情報テーブル１０と、住宅仕様情報テーブル１１と、住宅部品カテゴリパターン座標情報テーブル１２と、住宅部品カテゴリパターン情報テーブル１３と、住宅部品カテゴリ進捗情報テーブル１４と、を含んで構成されている。また、マスタデータは、部品カテゴリ情報マスタ２０と、部品カテゴリパターン情報マスタ２１と、部品情報マスタ２２と、部品属性情報マスタ２３と、部品シリーズ名情報マスタ２４と、を含んで構成されている。
【００５２】
この他、サーバ１には、端末装置３からアップロードされた顧客の住宅図面である住宅図面画像情報ファイル１５が保存されるものとなっている。
【００５３】
顧客情報テーブル１０は、顧客の基本情報を記憶するためのテーブルとなっており、この顧客情報テーブルのデータ項目には、顧客ＩＤ、プランＩＤ、契約Ｎｏ、氏名、建設地、契約日、着工予定日、引渡し予定日、部材発注予定日、部材入荷予定日等があり、顧客ＩＤが顧客の識別情報となっており、プランＩＤが顧客の住宅の識別情報となっている。
【００５４】
このため、顧客情報テーブル１０は、顧客の基本情報を、顧客ＩＤとプランＩＤとに関連付けて記憶（新規登録又は更新）する顧客情報記憶手段となっている。
【００５５】
住宅仕様情報テーブル１１は、顧客の住宅の仕様情報を記憶するためのテーブルであり、この住宅仕様情報テーブル１１のデータ項目には、顧客ＩＤ、プランＩＤ、部品カテゴリＩＤ、パターンＩＤ、部品ＩＤ、確定品番（仕様が確定した部品の商品番号（型番））、確定部品名称（仕様が確定した部品の名称）、確定部品単価（仕様が確定した部品の単価）、確定数量（仕様が確定した部品の発注数量）、属性種別の名称である属性種別名称（例えば、仕様が確定した部品の幅、高さ、奥行き、材質、色等）、属性値の名称である属性値名称（仕様が確定した部品の属性種別に対する値の名称）、属性値を画像で表した属性画像（この画像が格納されているサーバ１のファイルパス）、メーカーＩＤ、メーカー名称、確定保留区分等がある。ここで、部品カテゴリＩＤは、住宅を構成する部品のカテゴリの識別情報であり、パターンＩＤは、住宅における部品が配置される場所のパターンの識別情報であり、部品ＩＤは、住宅を構成する部品の識別情報であり、メーカーＩＤは、部品のメーカーの識別情報である。このため、住宅仕様情報テーブル１１は、顧客の住宅を構成する部品の仕様情報（属性情報）を、プランＩＤと、部品ＩＤとに、関連付けて記憶する住宅仕様情報記憶手段となっている。
【００５６】
なお、「確定保留区分」とは、この住宅仕様情報テーブル１１に登録されている仕様情報が、確定されたものであるか、あるいは、確定が保留されているものであるかどうかを判定するための区分であり、本実施形態では、「確定保留区分」には、１（確定）、２（保留）等がある。
【００５７】
なお、本実施形態では、部品のカテゴリは、３階層のカテゴリとなっており、この部品のカテゴリには、最上位カテゴリと、上位カテゴリと、下位カテゴリと、があり、上述した部品カテゴリＩＤは、部品の下位のカテゴリの識別情報となっている。
【００５８】
住宅部品カテゴリパターン座標情報テーブル１２は、顧客の住宅図面における後述する部品カテゴリカード（この顧客の住宅を構成する部品のカテゴリ名称と、住宅における部品の下位カテゴリが配置される場所のパターン名称と、が表示されたカード情報）の座標情報を記憶するためのテーブルであり、住宅部品カテゴリパターン座標情報テーブル１２のデータ項目には、プランＩＤ、部品カテゴリＩＤ、パターンＩＤ、顧客の住宅図面番号、この図面番号の住宅図面における部品のカテゴリパターンの２次元座標情報（Ｘ座標、Ｙ座標）等がある。ここで、パターンＩＤは、住宅における部品のカテゴリが配置される場所のパターンの識別情報であり、住宅図面番号は、顧客の住宅図面の識別情報である。
【００５９】
このため、住宅部品カテゴリパターン座標情報テーブル１２は、顧客の住宅図面における部品の下位カテゴリ（下位カテゴリの部品）の座標情報を、プランＩＤと、部品カテゴリＩＤと、パターンＩＤと、住宅図面番号と、に関連付けて記憶する住宅部品カテゴリパターン座標情報記憶手段となっている。
【００６０】
住宅部品カテゴリパターン情報テーブル１３は、顧客毎に追加された上記パターンＩＤと、顧客毎に変更された上記パターン名称を記憶するためのテーブルであり、この住宅部品カテゴリパターン情報テーブル１３のデータ項目には、プランＩＤ、部品カテゴリＩＤ、パターンＩＤ、パターン名称等がある。
【００６１】
このため、住宅部品カテゴリパターン情報テーブル１３は、パターン名称を、プランＩＤと、部品カテゴリＩＤと、パターンＩＤと、に関連付けて記憶する住宅部品カテゴリパターン情報記憶手段となっている。なお、この住宅部品カテゴリパターン情報テーブル１３には、本システムで下位カテゴリごとに予め設定されているパターン名称も、プランＩＤと、部品カテゴリＩＤと、パターンＩＤと、に関連付けて記憶されている。
【００６２】
住宅部品カテゴリ進捗情報テーブル１４は、顧客の住宅の仕様情報の確定の進捗状況情報を記憶するためのテーブルであり、この住宅部品カテゴリ進捗情報テーブル１４のデータ項目には、顧客ＩＤ、プランＩＤ、上位カテゴリＩＤ、進捗状況区分、完了日時等があり、上位カテゴリＩＤは部品の上位カテゴリの識別情報となっている。すなわち、住宅部品カテゴリ進捗情報テーブル１４は、顧客の住宅を構成する部品の下位カテゴリの仕様情報（属性情報）の打合せの進捗状況情報を、この下位カテゴリが属する上位カテゴリ単位でまとめたものを記憶するためのテーブルとなっている。
【００６３】
なお、本実施形態では、「進捗状況区分」には、０（打合せ未着手）、１（打合せ中）、２（打合せ済（顧客側））、３（打合せ済（担当者側））等がある。ここで、「進捗状況区分」の値である３（打合せ済（担当者側））は、下位カテゴリに属する全部の部品について、顧客側及び担当者側で確定すべき仕様情報が確定していることを意味する。これに対して、「進捗状況区分」の値である２（打合せ済（顧客側））は、下位カテゴリに属する全部の部品について、顧客側で確定すべき仕様情報は確定しているが、下位カテゴリに属する部品の中で、担当者側で確定すべき仕様情報がまだ確定していない部品が存在することを意味するものである。また、「進捗状況区分」の値である１（打合せ中）は、下位カテゴリに属する部品の中で、顧客側で確定すべき仕様情報がまだ確定していない部品が存在することを意味する。さらに、「進捗状況区分」の値である０（打合せ未着手）は、下位カテゴリに属する全部の部品について、顧客側で確定すべき仕様情報がまだ確定していないこと、言い換えると、下位カテゴリに属する部品の中で、顧客側で確定すべき仕様情報が確定した部品が１つもないことを意味する。
【００６４】
このため、住宅部品カテゴリ進捗情報テーブル１４は、部品の上位カテゴリ単位、言い換えると、部品の上位カテゴリ別の進捗状況区分、完了日時等を、顧客ＩＤ、プランＩＤと、上位カテゴリＩＤと、に関連付けて記憶する住宅部品カテゴリ進捗情報記憶手段となっている。
【００６５】
本実施形態では、顧客情報テーブル１０と、住宅仕様情報テーブル１１と、住宅部品カテゴリパターン座標情報テーブル１２と、住宅部品カテゴリパターン情報テーブル１３と、住宅部品カテゴリ進捗情報テーブル１４とで、顧客別の住宅仕様情報を顧客の住宅の識別情報（プランＩＤ）と関連付けて記憶する住宅仕様情報記憶手段を構成するものとなっている。
【００６６】
部品カテゴリ情報マスタ２０は、住宅を構成する部品のカテゴリ情報を記憶するためのマスタであり、この部品カテゴリ情報マスタ２０のデータ項目には、最上位カテゴリＩＤ、上位カテゴリＩＤ、部品カテゴリＩＤ、カテゴリ名称、表示設定区分、必須・任意設定区分等があり、最上位カテゴリＩＤは部品の最上位カテゴリの識別情報、上位カテゴリＩＤは部品の上位カテゴリの識別情報、部品カテゴリＩＤは部品の下位カテゴリの識別情報となっている。また、「表示設定区分」とは、後述する住宅仕様情報選択入力画面を構成する画面において、上位カテゴリや下位カテゴリのカテゴリ名称等の情報を顧客に見せるかどうかを設定するための区分であり、本実施形態では、「表示設定区分」には、０（顧客に見せる）、１（担当者にのみ見せる）等がある（以下同じ）。このため、本実施形態では、「表示設定区分」に１が設定されている上位カテゴリＩＤや部品カテゴリＩＤに対しては、後述する住宅仕様情報選択入力画面を構成する画面の顧客モード画面において、カテゴリ名称等の情報は非表示となる。
【００６７】
このため、部品カテゴリ情報マスタ２０は、カテゴリ名称、表示設定区分、必須・任意設定区分等を、最上位カテゴリＩＤと、上位カテゴリＩＤと、部品カテゴリＩＤと、に関連付けて記憶する部品カテゴリ情報記憶手段となっている。
【００６８】
部品カテゴリパターン情報マスタ２１は、住宅における部品の下位カテゴリが配置される場所のパターン情報を記憶するためのマスタであり、この部品カテゴリパターン情報マスタ２１のデータ項目には、部品カテゴリＩＤ、パターンＩＤ、パターン名称等があり、パターンＩＤはパターンの識別情報となっている。
【００６９】
このため、部品カテゴリパターン情報マスタ２１は、住宅における部品の下位カテゴリ（言い換えると、下位カテゴリの部品）が配置される場所のパターン名称を、このパターンＩＤと、部品カテゴリＩＤと、に関連付けて記憶する部品カテゴリパターン情報記憶手段となっている。
【００７０】
部品情報マスタ２２は、住宅を構成する部品情報を記憶するためのマスタであり、この部品情報マスタ２２のデータ項目には、部品ＩＤ、部品カテゴリＩＤ、部品名称、部品画像、部品単価、表示設定区分、メーカーＩＤ等があり、部品ＩＤは部品の識別情報となっており、メーカーＩＤは部品のメーカーの識別情報となっている。なお、「表示設定区分」とは、部品カテゴリ情報マスタ２０の「表示設定区分」と同様に、後述する住宅仕様情報選択入力画面を構成する画面において、この部品情報マスタ２２の部品名称等の情報を顧客に見せるかどうかを設定するための区分である。
【００７１】
このため、部品情報マスタ２２は、部品名称、部品画像、部品単価、表示設定区分、メーカーＩＤ等を、部品ＩＤと、部品カテゴリＩＤと、に関連付けて記憶する部品情報記憶手段となっている。
【００７２】
部品属性情報マスタ２３は、部品に対して設定可能な属性情報を記憶するためのマスタであり、この部品属性情報マスタ２３のデータ項目には、部品ＩＤ、部品の属性種別の名称である部品属性種別名称、部品の属性値の名称である部品属性値名称、部品の属性値を画像で表した部品属性画像（この画像が格納されているサーバ１のファイルパス）、表示設定区分等がある。なお、「表示設定区分」とは、部品カテゴリ情報マスタ２０の「表示設定区分」と同様に、後述する住宅仕様情報選択入力画面を構成する画面において、この部品カテゴリ情報マスタ２０の部品属性種別名称、部品属性値名称、部品属性画像等の情報を顧客に見せるかどうかを設定するための区分である。
【００７３】
このため、部品属性情報マスタ２３は、部品属性種別名称、部品属性値名称、部品属性画像、表示設定区分等を、部品ＩＤと関連付けて記憶する部品属性情報記憶手段となっている。
【００７４】
部品シリーズ名情報マスタ２４は、シリーズものの部品のシリーズ名等を記憶するためのマスタであり、この部品シリーズ名情報マスタ２４のデータ項目には、部品ＩＤ、シリーズ名等がある。
【００７５】
このため、部品シリーズ名情報マスタ２４は、部品のシリーズ名等を、部品ＩＤと関連付けて記憶する部品シリーズ名情報記憶手段となっている。
【００７６】
なお、本実施形態では、部品情報マスタ２２、部品属性情報マスタ２３、部品シリーズ名情報マスタ２４の各情報は、本システムの担当者により入力されるのではなく、部品メーカー各社が保有するマスタ情報を取り込むことにより得られるものである。すなわち、部品メーカー各社のシステムのマスタ情報をＣＳＶ形式のテキストファイルで受け取り、このＣＳＶファイルを本システムで取り込めるようにレイアウト変換を実行した後、このレイアウト変換後のＣＳＶファイルを本システムの部品情報マスタ２２、部品属性情報マスタ２３に取り込む処理が実行される。
【００７７】
端末装置３は、キーボード、マウス等の入力手段と、ディスプレイ、プリンター等の出力手段を備えており、端末装置３は、サーバ１から送信されてくる顧客の住宅仕様情報を選択入力させるための住宅仕様情報選択入力画面、その他の画面の表示用データを受信し、これらの画面の表示用データは、端末装置３に備えられているＷｅｂブラウザ等のソフトウェアを介してディスプレイに出力されるものとなっている。また、サーバ１で作成され、このサーバ１から送信されてくる顧客の住宅仕様情報等が記載された各種帳票が、プリンターに出力されるものとなっている。
【００７８】
住宅仕様情報選択入力画面は、部品カテゴリ情報マスタ２０に記憶された部品の最上位カテゴリ情報と上位カテゴリ情報の一覧を表示するとともにこの一覧から、これから住宅仕様情報の選択入力をする部品が属する上位カテゴリを選択させるための後述する上位カテゴリ表示・選択画面６０（図２参照）と、この上位カテゴリ表示・選択画面６０で選択され、部品カテゴリ情報マスタ２０に記憶された上位カテゴリに属する下位カテゴリ情報の一覧を表示するとともにこの一覧から、後述する部品カテゴリカード座標情報入力画面１５０（図１５参照）で座標情報を入力する下位カテゴリを選択させるための後述する下位カテゴリ表示・選択画面７０（図５参照）と、この下位カテゴリ表示・選択画面７０で選択された下位カテゴリに対して選択可能な部品（実際の商品）の一覧を表示するとともにこの一覧から部品を選択させるための後述する部品表示・選択画面（言い換えると、商品表示・選択画面）９０（図６参照）と、この部品表示・選択画面９０で選択された部品の属性情報を選択入力させるための後述する部品属性情報選択入力画面１１０（図７参照）と、下位カテゴリ表示・選択画面７０で選択された下位カテゴリの座標情報を入力させるための部品カテゴリカード座標情報入力画面１５０と、顧客の住宅における部品の下位カテゴリが配置される場所のパターンの追加入力及びパターン名称の変更入力をさせるためのパターン編集画面１６０と、を含んで構成されている。
【００７９】
本実施形態では、部品カテゴリカード座標情報入力画面１５０は、部品の下位カテゴリの座標情報を入力させるための住宅部品座標情報入力画面となっており、パターン編集画面１６０は、パターンの追加入力及びパターン名称の変更入力をさせるための住宅部品カテゴリパターン情報入力画面となっている。
【００８０】
なお、これらの画面には、住宅仕様の打合せを行う担当者側で確定すべき仕様情報を含む住宅仕様情報の選択入力が可能な担当者モード画面と、担当者側で確定すべき仕様情報を含まない住宅仕様情報の選択入力が可能な顧客モード画面と、がある。
【００８１】
上述した住宅仕様情報選択入力画面、その他の画面の表示用データは、サーバ１の処理手段３０（図１参照）により生成されるものである。
【００８２】
なお、住宅仕様情報選択入力画面を構成する上述した各画面の詳細な説明は後述する。
【００８３】
図１に示すように、サーバ１は、住宅仕様の確定に必要な処理を実行する処理手段３０を備えており、この処理手段３０は、住宅仕様情報選択入力受付処理手段３１と、仕様確定済部品一覧照会処理手段５０と、出力帳票選択受付処理手段５１と、図面指示シート作成処理手段５２と、図面指示シートダウンロード処理手段５３と、を含んで構成されるものとなっている。
【００８４】
そして、住宅仕様情報選択入力受付処理手段３１は、上位カテゴリ選択受付処理手段３２と、下位カテゴリ選択受付処理手段３３と、住宅仕様情報抽出処理手段３４と、住宅仕様情報登録処理手段３５と、住宅図面アップロード処理手段３６と、部品カテゴリカード座標情報入力受付処理手段３７と、部品カテゴリカード配置処理手段３８と、部品カテゴリカード座標情報取得処理手段３９と、住宅部品カテゴリパターン情報入力受付処理手段４０と、部品情報抽出処理手段４１と、部品情報選択入力受付処理手段４２と、部品属性情報抽出処理手段４３と、部品属性情報選択入力受付処理手段４４と、を含んで構成されるものとなっている。
【００８５】
なお、サーバ１の処理手段３０は、サーバ１の記憶装置に記憶されたソフトウェアで構成されるものである。
【００８６】
住宅仕様情報選択入力受付処理手段３１は、図１に示すこの処理手段３１の枠内の各処理手段３２〜４４を含んで構成されるものであり、住宅仕様情報選択入力画面を構成する各画面の表示用データを端末装置３へ送信するとともに、住宅仕様情報選択入力画面を構成する各画面で選択入力されて端末装置３からネットワーク２を介して送信されてくる顧客の住宅仕様情報を受信する処理を実行する構成となっている。
【００８７】
上位カテゴリ選択受付処理手段３２は、上位カテゴリ表示・選択画面６０の表示用データを端末装置３へ送信するとともに、上位カテゴリ表示・選択画面６０で選択されて端末装置３からネットワーク２を介して送信されてくる上位カテゴリの識別情報（上位カテゴリＩＤ）を受信する処理を実行する構成となっている。なお、上位カテゴリ表示・選択画面６０の表示用データは、処理手段３０を構成する図示しない上位カテゴリ情報抽出処理手段が、部品カテゴリ情報マスタ２０のレコードうち、最上位カテゴリと上位カテゴリのレコードを抽出して作成する。
【００８８】
下位カテゴリ選択受付処理手段３３は、下位カテゴリ表示・選択画面７０の表示用データを端末装置３へ送信するとともに、下位カテゴリ表示・選択画面７０で選択されて端末装置３からネットワーク２を介して送信されてくる下位カテゴリの識別情報（部品カテゴリＩＤ）を受信する処理を実行する構成となっている。なお、下位カテゴリ表示・選択画面７０の表示用データは、処理手段３０を構成する図示しない下位カテゴリ情報抽出処理手段が、部品カテゴリ情報マスタ２０のレコードのうち、下位カテゴリのレコードを抽出して作成する。
【００８９】
住宅仕様情報抽出処理手段３４は、現在処理対象となっている顧客の登録済の住宅仕様情報を、住宅仕様情報テーブル１１から抽出する処理を実行する構成となっている。すなわち、住宅仕様情報抽出処理手段３４は、住宅仕様情報テーブル１１のレコードのうち、顧客ＩＤが現在処理対象となっている顧客の顧客ＩＤと一致し、かつ、プランＩＤが現在処理対象となっている顧客の住宅のプランＩＤと一致するレコードを抽出する処理を実行する構成となっている。
【００９０】
住宅仕様情報登録処理手段３５は、住宅仕様情報選択入力受付処理手段３１により受け付けた顧客の住宅仕様情報を、プランＩＤと関連付けて住宅仕様情報テーブル１１に記憶させる処理を実行する構成となっている。
【００９１】
すなわち、住宅仕様情報登録処理手段３５は、部品属性情報選択入力受付処理手段４４により受け付けた顧客の住宅を構成する部品の属性情報を、顧客ＩＤと、プランＩＤと、部品カテゴリＩＤと、パターンＩＤと、に関連付けて住宅仕様情報テーブル１１に記憶させる処理を実行する構成となっている。
【００９２】
また、住宅仕様情報登録処理手段３５は、住宅部品座標情報入力受付処理手段となっている部品カテゴリカード座標情報入力受付処理手段３７により受け付けた下位カテゴリの座標情報（部品カテゴリカードの座標情報）を、顧客ＩＤと、プランＩＤと、部品カテゴリＩＤと、パターンＩＤと、住宅図面番号と、に関連付けて住宅部品カテゴリパターン座標情報テーブル１２に記憶させる処理を実行する構成となっている。なお、現在処理対象となっている顧客の登録済の下位カテゴリの座標情報を、住宅部品カテゴリパターン座標情報テーブル１２から抽出する処理は、住宅仕様情報抽出処理手段３４により実行される。
【００９３】
また、住宅仕様情報登録処理手段３５は、住宅部品カテゴリパターン情報入力受付処理手段となっている住宅部品カテゴリパターン情報入力受付処理手段４０により受け付けたパターン名称を、顧客ＩＤと、プランＩＤと、部品カテゴリＩＤと、パターンＩＤと、に関連付けて住宅部品カテゴリパターン情報テーブル１３に記憶させる処理を実行する構成となっている。なお、現在処理対象となっている顧客の登録済のパターン情報を、住宅部品カテゴリパターン情報テーブル１３から抽出する処理は、住宅仕様情報抽出処理手段３４により実行される。
【００９４】
住宅図面アップロード処理手段３６は、アップロードする住宅図面を端末装置３で選択入力させてこの端末装置３からネットワーク２を介してアップロードされてくる住宅図面をサーバ１に保存する処理を実行する構成となっている。
【００９５】
住宅部品座標情報入力受付処理手段となっている部品カテゴリカード座標情報入力受付処理手段３７は、住宅部品座標情報入力画面である部品カテゴリカード座標情報入力画面の表示用データを端末装置３へ送信するとともに、部品カテゴリーカード座標情報入力画面で入力され、部品カテゴリカード座標情報取得処理手段３９により取得されて端末装置３からネットワーク２を介して送信されてくる部品の下位カテゴリの座標情報を受信する処理を実行する構成となっている。
【００９６】
部品カテゴリカード配置処理手段３８は、部品カテゴリカードを住宅図面に配置する処理を実行する構成となっている。
【００９７】
部品カテゴリカード座標情報取得処理手段３９は、住宅図面に配置された部品カテゴリカードの座標情報を取得する処理を実行する構成となっている。
【００９８】
住宅部品カテゴリパターン情報入力受付処理手段４０は、住宅部品カテゴリパターン情報入力画面（パターン編集画面１６０）の表示用データを端末装置３へ送信するとともに、住宅部品カテゴリパターン情報入力画面（パターン編集画面１６０）で入力されて端末装置３からネットワーク２を介して送信されてくるパターンの識別情報（パターンＩＤ）及びパターン名称を受信する処理を実行する構成となっている。
【００９９】
部品情報抽出処理手段４１は、下位カテゴリ選択受付処理手段３３により受け付けた下位カテゴリに対して選択可能な部品を、受信された下位カテゴリの識別情報（部品カテゴリＩＤ）をキーとして、部品情報マスタ２２から抽出する処理を実行する構成となっている。すなわち、部品情報抽出処理手段４１は、部品情報マスタ２２のレコードのうち、部部品カテゴリＩＤが下位カテゴリ選択受付処理手段３３により受け付けた部品カテゴリＩＤと一致するレコードを抽出する処理を実行する構成となっている。
【０１００】
部品情報選択入力受付処理手段４２は、部品情報抽出処理手段４１により抽出された部品を表示・選択させるための部品表示・選択画面９０の表示用データを端末装置３に送信するとともに、部品表示・選択画面９０で選択されて端末装置３からネットワーク２を介して送信されてくる部品の識別情報（部品ＩＤ）を受信する処理を実行する構成となっている。
【０１０１】
部品属性情報抽出処理手段４３は、部品情報選択入力受付処理手段４２により受け付けた部品に対して選択入力可能な属性情報を、受信された部品の識別情報（部品ＩＤ）をキーとして、部品属性情報マスタ２３から抽出する処理を実行する構成となっている。すなわち、部品属性情報抽出処理手段４３は、部品属性情報マスタ２３のレコードのうち、部品ＩＤが部品情報選択入力受付処理手段４２により受け付けた部品ＩＤと一致するレコードを抽出する処理を実行する構成となっている。
【０１０２】
部品属性情報選択入力受付処理手段４４は、部品属性情報抽出処理手段４３により抽出された部品の属性情報を選択入力させるための部品属性情報選択入力画面１１０の表示用データを端末装置３に送信するとともに、部品属性情報選択入力画面１１０で選択入力されて端末装置３からネットワーク２を介して送信されてくる部品の属性情報を受信する処理を実行する構成となっている。
【０１０３】
仕様確定済部品一覧照会処理手段５０は、部品属性情報選択入力画面１１０において属性情報の選択入力が確定した部品（確定を保留した部品を含む）についての属性情報の一覧を表示し、担当者モード画面と顧客モード画面とがある仕様確定済部品一覧照会画面２１０の表示用データを端末装置３へ送信する処理を実行する構成となっている。なお、端末装置３では、サーバ１から送信された仕様確定済部品一覧照会画面２１０の表示用データを受信し、この受信した仕様確定済部品一覧照会画面２１０の表示用データが、端末装置３のディスプレイに出力される。なお、仕様確定済部品一覧照会画面２１０の表示用データは、処理手段３０を構成する図示しない仕様確定済部品情報抽出処理手段が、住宅仕様情報テーブル１１のレコードを抽出（検索）して作成する。
【０１０４】
出力帳票選択受付処理手段５１は、担当者モードの仕様確定済部品一覧照会画面２１０で表示される［帳票出力］ボタン２４０が端末装置３で押下されたとき、図面指示シート３００を含む各出力帳票を選択させるための出力帳票選択メニューウィンドウ１９０の表示用データを端末装置３に送信するとともに、出力帳票選択メニューウィンドウ１９０でされて端末装置３からネットワーク２を介して送信されてくる出力帳票の識別情報（帳票ＩＤ）を受信する処理を実行する構成となっている。
【０１０５】
部品カテゴリカード配置後住宅図面作成処理手段となっている図面指示シート作成処理手段５２は、サーバ１に保存された顧客の住宅図面と、住宅部品カテゴリパターン座標情報テーブル１２に記憶された顧客の部品カテゴリカードの座標情報と、に基づき、顧客の住宅図面に部品カテゴリカードが配置された図面指示シート２５を作成する処理を実行する構成となっている。
【０１０６】
部品カテゴリカード配置後住宅図面ダウンロード処理手段となっている図面指示シートダウンロード処理手段５３は、部品カテゴリカード配置後住宅図面作成処理手段（図面指示シート作成処理手段５２）により作成された部品カテゴリカード配置後住宅図面（図面指示シート２５）を端末装置３へダウンロードする処理を実行する構成となっている。
【０１０７】
なお、図示されていないが、住宅仕様情報選択入力受付処理手段３１には、端末装置３へ送信する担当者モード画面の表示用データと、顧客モード画面の表示用データと、を端末装置３からの要求データ（本実施形態では、画面表示区分（０（顧客モード画面）、１（担当者モード画面）））に応じて切り換える処理を実行するモード画面切換処理手段が備えられている。すなわち、このモード画面切換処理手段は、端末装置３から送信されてきた要求データである画面表示区分が０の場合は、端末装置３へ送信する画面を顧客モード画面に切り換える処理を実行し、端末装置３から送信されてきた要求データである画面表示区分が１の場合は、端末装置３へ送信する画面を担当者モード画面に切り換える処理を実行する。なお、端末装置３の出力手段（ディスプレイ）に出力されるデフォルト画面（初期画面）は、顧客モード画面となっている。
【０１０８】
また、図示されていないが、住宅仕様情報選択入力受付処理手段３１には、上位カテゴリ表示・選択画面６０に表示されているそれぞれの上位カテゴリ情報カード６５について、それぞれの上位カテゴリに属する下位カテゴリに対して選択された部品の属性情報の選択入力の進捗状況（仕様確定状況）に応じた色分け表示処理を実行する上位カテゴリ色分け表示処理手段が備えられている。すなわち、この上位カテゴリ色分け表示処理手段は、上位カテゴリに属する全部の下位カテゴリに対して部品の属性情報の選択入力が確定している場合と、上位カテゴリに属する一部の下位カテゴリに対して部品の属性情報の選択入力が確定している場合と、上位カテゴリに属する全部の下位カテゴリに対して部品の属性情報の選択入力が確定していない場合と、に応じた色分け表示処理を、上位カテゴリ表示・選択画面６０に表示されているそれぞれの上位カテゴリ情報カード６５に対して実行する構成となっている。
【０１０９】
また、上位カテゴリ色分け表示処理手段は、顧客モード画面において、上位カテゴリに属する全部の下位カテゴリに対して部品の属性情報の選択入力が確定している場合であっても、担当者側で確定すべき部品の属性情報の選択入力が確定していない下位カテゴリが存在する場合には、担当者モード画面において、上位カテゴリに属する下位カテゴリのうち、担当者側で属性情報の選択入力を確定すべき下位カテゴリがまだ存在することを示す色分け表示処理を、上位カテゴリ情報カード６５に対して実行する構成となっている。
【０１１０】
次に、本実施形態に係る住宅仕様確定支援システムで実行される各処理を図２〜図２９に示す画面により説明する。なお、図２〜図２９に示す画面は、端末装置３のディスプレイに出力されるものであり、これらの画面の表示用データはサーバ１から端末装置３へ送信されるもの、あるいは、端末装置３に搭載されたオペレーティングシステムにより出力されるものである。
【０１１１】
本実施形態に係る住宅仕様確定支援システムの利用の開始は、端末装置３に表示される図示しないログイン画面から入力された利用者（顧客）のユーザＩＤ及びパスワードがサーバ１に送信され、このサーバ１よるユーザＩＤ及びパスワードの認証処理を経て行われる。なお、利用者のユーザＩＤ及びパスワード等の情報は、システム管理者によって図示しないユーザマスタに予め登録されている。
【０１１２】
サーバ１によるユーザＩＤ及びパスワードの認証がされると、端末装置３には、担当者との打合せが始まるまで間に、顧客に見せる図示されないインフォメーション画面（待受画面）が表示される。このインフォメーション画面には、例えば、ログインした顧客の住宅工事スケジュール情報（顧客情報テーブル１０の契約日、部材発注予定日、着工予定日、部材入荷予定日、引渡し予定日等）や、システムの利用方法等の情報が表示されるようになっている。
【０１１３】
このインフォメーション画面の最上部には、このインフォメーション画面や、顧客の住宅を構成する部品の属性情報を選択入力するための画面（複数の画面で構成される）や、属性情報の選択入力が確定した部品の一覧表示画面に切り替えるための３つタブ（後述する図２に示す「インフォメーション」、「フロー」、「選択部品一覧」）が配置されており、これら３つの画面のうち、表示させたい画面のタブをマウスやキーボード等の入力手段で押下することにより、選択したタブの画面に遷移するようになっている。
【０１１４】
図２には、部品の属性情報を選択入力するための各画面のうちの最初に表示される画面であって、部品の最上位カテゴリ及び上位カテゴリの一覧を表示するとともにこの一覧から仕様を確定する部品が属する上位カテゴリを選択させるための上位カテゴリ表示・選択画面６０（言い換えると、フロー表示・選択画面６０）（一部を省略して示す）が表示されている。
【０１１５】
この画面６０の最上部には、左から、上記インフォメーション画面を表示させるための「インフォメーション」タブ６１、この図２に表示されている画面６０を表示させるための「フロー」タブ６２、属性情報の選択入力が確定した部品の一覧表示画面を表示させるための「選択部品一覧」タブ６３の３個のタブが表示されている。これら３個のタブは、上述したインフォメーション画面や、属性情報の選択入力が確定した部品の一覧表示画面が表示されているときにも表示される。
【０１１６】
図２に示されているように、上位カテゴリ表示・選択画面６０は、住宅を構成する部品の最上位カテゴリの一覧と、この最上位カテゴリよりも下位のカテゴリである上位カテゴリ（最上位カテゴリと後述する下位カテゴリとの中間の階層のカテゴリ）の一覧を表示するものとなっている。すなわち、画面６０の上部には、５個の最上位カテゴリ名称表示欄６４が横方向に並んで配置されており、最も左側の最上位カテゴリ名称表示欄６４から順に「外部」、「内部」、「水廻り設備」、「電気、空調等」、「インテリア・エクステリア」の最上位カテゴリ名称が表示されている。また、それぞれの最上位カテゴリ名称表示欄６４の下には、それぞれの最上位カテゴリに属する複数の上位カテゴリ情報が表示された上位カテゴリ情報カード６５が縦方向に並んで配置されている。
【０１１７】
図３は、図２の上位カテゴリ表示・選択画面６０の部分拡大図であり、この画面６０のうち、最上位カテゴリ名称表示欄６４に表示されている最上位カテゴリ名称が「水廻り設備」となっている最上位カテゴリに属する複数の上位カテゴリ情報カード６５の拡大図である。
【０１１８】
図３に示すように、上位カテゴリ情報カード６５は、上位カテゴリのカテゴリ名称を表示するための上位カテゴリ名称表示欄６５Ａと、この上位カテゴリに属する下位カテゴリの部品の属性情報の選択入力の進捗状況情報を表示するための進捗状況表示欄６５Ｂとで構成されている。
【０１１９】
図３に示すように、縦方向に並んで配置されている複数の上位カテゴリ情報カード６５の上位カテゴリ名称表示欄６５Ａには、上から順に、最上位カテゴリ「水廻り設備」の上位カテゴリのカテゴリ名称である「キッチン」、「カップボード」、「バスユニット」、「洗面化粧台」、「トイレ」、「アクセサリー」、「給湯」、「水廻りパック」、「電化パック」等が表示されている。
【０１２０】
なお、最上位カテゴリ名称表示欄６４に表示されるカテゴリ名称と、上位カテゴリ情報カード６５の上位カテゴリ名称表示欄６５Ａに表示されるカテゴリ名称は、部品カテゴリ情報マスタ２０から参照して編集される。
【０１２１】
すなわち、最上位カテゴリ名称表示欄６４に表示されるカテゴリ名称は、部品カテゴリ情報マスタ２０のレコードのうち、最上位カテゴリＩＤがゼロ以外、かつ、上位カテゴリＩＤがゼロ、かつ、部品カテゴリＩＤがゼロである各レコードのカテゴリ名称が表示されるものとなっている。また、上位カテゴリ情報カード６５の上位カテゴリ名称表示欄６５Ａに表示されるカテゴリ名称は、部品カテゴリ情報マスタ２０のレコードのうち、最上位カテゴリＩＤがゼロ以外、かつ、上位カテゴリＩＤがゼロ以外、かつ、部品カテゴリＩＤがゼロである各レコードのカテゴリ名称が表示されるものとなっている。これらのレコードの抽出処理は、処理手段３０を構成する図示しないカテゴリ名称抽出処理手段により実行される。
【０１２２】
上位カテゴリ情報カード６５の進捗状況表示欄６５Ｂに表示される進捗状況情報（上位カテゴリ単位の部品の仕様打合せの進捗状況情報）は、住宅部品カテゴリ進捗情報テーブル１４のデータ項目のうちの進捗状況区分と完了日時とから編集されるものであり、この住宅部品カテゴリ進捗情報テーブル１４のレコードの取得は、顧客ＩＤ、プランＩＤ、上位カテゴリＩＤをキーとして、住宅部品カテゴリ進捗情報テーブル１４から該当レコードの抽出処理を実行するサーバ１の処理手段３０を構成する図示しない進捗状況抽出処理手段により行われる。
【０１２３】
それぞれの上位カテゴリ情報カード６５の進捗状況表示欄６５Ｂに表示される進捗状況情報は、取得した住宅部品カテゴリ進捗情報テーブル１４の進捗状況区分と完了日時とにより生成される。
【０１２４】
前述したように、進捗状況区分には、０（打合せ未着手）、１（打合せ中）、２（打合せ済（顧客側））、３（打合せ済（担当者側））があり、進捗状況区分が０である場合には、進捗状況表示欄６５Ｂには、文字列「未着手」が表示される（図３の「バスユニット」、「洗面化粧台」等の上位カテゴリ情報カード６５を参照）。
【０１２５】
また、進捗状況区分が１である場合には、進捗状況表示欄６５Ｂには、文字列「選択中」が表示される。また、進捗状況区分が２である場合には、進捗状況表示欄６５Ｂには、住宅部品カテゴリ進捗情報テーブル１４の完了日（下位カテゴリに属する部品のうち、顧客側で確定すべき部品の属性情報の選択入力が全て確定した日（言い換えると、最後に選択入力が確定した部品の属性情報がサーバ１に登録された日））と「打合せ済」を連結した文字列「XXXX年XX月XX日打合せ済」（「XXXX」は４桁の西暦年。以下同じ）が表示される。さらに、進捗状況区分が３である場合には、進捗状況表示欄６５Ｂには、住宅部品カテゴリ進捗情報テーブル１４の完了日（下位カテゴリに属する部品のうち、担当者側で確定すべき部品の属性情報の選択入力が全て確定した日（言い換えると、最後に選択入力が確定した部品の属性情報がサーバ１に登録された日））と「打合せ済」を連結した文字列「XXXX年XX月XX日打合せ済」が表示される。
【０１２６】
また、本実施形態では、上位カテゴリ情報カード６５の背景色は、住宅部品カテゴリ進捗情報テーブル１４の進捗状況区分の値に応じた色分けが行われるようになっている。なお、図２及び図３における背景色の着色は、便宜上、網掛け表示となっている。
【０１２７】
すなわち、進捗状況区分が０（打合せ未着手）である場合には、上位カテゴリ情報カード６５の背景色は白色（言い換えると、デフォルトの画面背景色のまま）であり、進捗状況区分が１（打合せ中）である場合には、上位カテゴリ情報カード６５の背景色は黄色に着色され、進捗状況区分が３（打合せ済（担当者側））である場合には、上位カテゴリ情報カード６５の背景色は緑色に着色される。なお、図２の上位カテゴリ表示・選択画面６０の右最上部の凡例表示欄６６には、上述した上位カテゴリ情報カード６５の背景色の凡例が表示されている。
【０１２８】
進捗状況区分が２である場合には、上位カテゴリ情報カード６５の背景色は、現在表示されている上位カテゴリ表示・選択画面６０が顧客モード画面となっているか担当者モード画面となっているかによって異なる。
【０１２９】
ここで、上位カテゴリ表示・選択画面６０には、前述したように、担当者モード画面と顧客モード画面とがあり、この上位カテゴリ表示・選択画面６０におけるモード画面の切り換えは、図２に示されている画面６０の右最下部に配置されている「お客様」（顧客モード）ボタン６７あるいは「担当者」ボタン６８を押下（マウスのクリックによるものでもよく、キーボードのキー操作によるものでもよい。以下、同じ）することにより行われる。すなわち、「お客様」（顧客モード）ボタン６７あるいは「担当者」ボタン６８が押下されることにより、端末装置３からモード切換の要求データ（本実施形態では、画面表示区分（０（顧客モード画面）、１（担当者モード画面）））がサーバ１に送信され、サーバ１は、受信した要求データに応じて端末装置３に送信する顧客モード画面の表示用データと担当者モード画面の表示用データとを切り換える。なお、端末装置３に送信する表示データの切換処理は、前述したサーバ１の図示しないモード画面切換処理手段により実行される。
【０１３０】
現在表示されている上位カテゴリ表示・選択画面６０が顧客モード画面となっている場合には、住宅部品カテゴリ進捗情報テーブル１４の進捗状況区分が２（打合せ済（顧客側））である上位カテゴリの上位カテゴリ情報カード６５の背景色は緑色に着色される。しかし、現在表示されている上位カテゴリ表示・選択画面６０が担当者モード画面となっている場合には、住宅部品カテゴリ進捗情報テーブル１４の進捗状況区分が２（打合せ済（顧客側））となっている上位カテゴリの上位カテゴリ情報カード６５の背景色は黄色に着色される。この着色処理は、担当者モード画面においては、下位カテゴリに属する部品のうち、担当者側で属性情報の選択入力の確定をすべき部品がまだ存在することを担当者に知らしめるための処理である。
【０１３１】
一方、住宅部品カテゴリ進捗情報テーブル１４の進捗状況区分が３（打合せ済（担当者側））である上位カテゴリの上位カテゴリ情報カード６５の背景色は、前述したように、現在表示されている上位カテゴリ表示・選択画面６０が顧客モード画面となっているか否かにかかわらず（すなわち、顧客モード画面及び担当者モード画面において）、緑色に着色される。
【０１３２】
なお、住宅部品カテゴリ進捗情報テーブル１４の進捗状況区分に応じた上位カテゴリ情報カード６５の背景色に付す色は、上述した色に限定されるものではなく、任意である。
【０１３３】
なお、前述したように、部品カテゴリ情報マスタ２０のデータ項目には表示設定区分があり、この表示設定区分には、０（顧客に見せる）と１（担当者にのみ見せる）とがあり、表示設定区分に１が設定された上位カテゴリＩＤに対応する上位カテゴリ情報カード６５は、顧客モード画面では何も表示されず、担当者モード画面に切り換えることにより表示されるようになっている。
【０１３４】
このように、上位カテゴリ表示・選択画面６０には、担当者側で仕様を確定すべき上位カテゴリの選択が可能な担当者モード画面と、担当者側で仕様を確定すべき上位カテゴリを含まない上位カテゴリの選択が可能な顧客モード画面と、がある。言い換えると、上位カテゴリ表示・選択画面６０には、上位カテゴリのうち、担当者側で仕様を確定すべき上位カテゴリを除いた上位カテゴリの選択が可能な顧客モード画面と、全ての上位カテゴリの選択が可能な担当者モード画面と、がある。
【０１３５】
また、前述したように、部品カテゴリ情報マスタ２０のデータ項目には必須・任意設定区分があり、この必須・任意設定区分には、０（仕様の確定（部品の属性情報の選択入力）が任意である（必須ではない））と、１（仕様の確定（部品の属性情報の選択入力）が必須である）と、があり、必須・任意設定区分に１が設定された上位カテゴリＩＤの住宅部品カテゴリ進捗情報テーブル１４の進捗状況区分が０（打合せ未着手）である場合には、この上位カテゴリＩＤに対応する上位カテゴリ情報カード６５の背景色は赤色（デフォルトの画面背景色とは異なる色）に着色されるようにしてもよい。この着色処理は、仕様の確定が必須の上位カテゴリに属する下位カテゴリの部品の属性情報の選択入力が未着手の状態であることを担当者に知らしめるための処理である。
【０１３６】
なお、上述した色分け処理は、サーバ１の処理手段３０の図示しないカテゴリ色分け表示処理手段により実行される。すなわち、カテゴリ色分け表示処理手段により、上位カテゴリ表示・選択画面６０の表示用データが色分け処理された後、この色分け処理された表示用データは、上位カテゴリ選択受付処理手段３２によりサーバ１からネットワーク２を介して端末装置３に送信される。
【０１３７】
図２の上位カテゴリ表示・選択画面６０において、利用者が、これから属性情報の選択入力を行う部品が属する上位カテゴリに対応する上位カテゴリ情報カード６５を押下することにより、この押下された上位カテゴリ情報カード６５に対応する上位カテゴリの識別情報である上位カテゴリＩＤが、端末装置３からネットワーク２を介してサーバ１へ送信され、この送信された上位カテゴリＩＤがサーバ１で受信される。
【０１３８】
なお、サーバ１から上位カテゴリ表示・選択画面６０の表示用データが端末装置３に送信される処理から、上述したように、上位カテゴリ表示・選択画面６０において選択された上位カテゴリ情報カード６５の上位カテゴリＩＤがサーバ１で受信されるまでの処理は、図１に示すサーバ１の処理手段３０の上位カテゴリ選択受付処理手段３２により実行される。すなわち、サーバ１の処理手段３０の上位カテゴリ選択受付処理手段３２により、上位カテゴリ表示・選択画面６０の表示用データを端末装置３へ送信するとともに、上位カテゴリ表示・選択画面６０で選択されて端末装置３からネットワーク２を介して送信されてくる上位カテゴリの識別情報である上位カテゴリＩＤを受信する処理が実行される。
【０１３９】
この後、サーバ１では、上位カテゴリ選択受付処理手段３２により受け付けた上位カテゴリＩＤに属する下位カテゴリの情報を、上位カテゴリＩＤをキーとして、部品カテゴリ情報マスタ２０から抽出する処理が、前述した図示しない下位カテゴリ情報抽出処理手段により実行される。すなわち、部品カテゴリ情報マスタ２０のレコードのうち、上位カテゴリＩＤが上位カテゴリ選択受付処理手段３２により受け付けた上位カテゴリＩＤと一致するレコードが、下位カテゴリ情報抽出処理手段により抽出される。
【０１４０】
図４の上部には、下位カテゴリ情報抽出処理手段により抽出された下位カテゴリ情報の一覧を表示するとともにこの一覧から部品の属性情報を選択入力する下位カテゴリを選択させるための下位カテゴリ表示・選択画面７０が示されている。この下位カテゴリ表示・選択画面７０の表示用データは、サーバ１の処理手段３０の下位カテゴリ選択受付処理手段３３により端末装置３へ送信されるものとなっている。なお、この下位カテゴリ選択受付処理手段３３は、下位カテゴリ表示・選択画面７０で選択されて端末装置３からネットワーク２を介して送信されてくる下位カテゴリの識別情報である部品カテゴリＩＤを受信する処理も実行するものである。
【０１４１】
図５は、図４に示す下位カテゴリ表示・選択画面７０の拡大図（一部を省略）である。この図５に示されているように、下位カテゴリ表示・選択画面７０に表示されている下位カテゴリ情報は、図２及び図３の上位カテゴリ表示・選択画面６０において、最上位カテゴリ「水廻り設備」に属する上位カテゴリ情報カード６５のうち、「バスユニット」の上位カテゴリ情報カード６５が選択された場合における下位カテゴリ情報抽出処理手段により抽出された下位カテゴリ情報となっている。
【０１４２】
図５に示すように、上位カテゴリ「バスユニット」に属する下位カテゴリは複数あり、左側から「バスユニットシリーズ・グレード」、「本体セット」、「床」、「壁」等となっており、それぞれの下位カテゴリの情報が、横方向に並んで配置されている下位カテゴリ情報表示欄７３に表示される。なお、「バスユニット」の下位カテゴリには、上述した３つの他に「天井」、「浴槽セット」、「排水栓、「浴槽セットオプション」、「バスユニットオプション」等があり、これらの下位カテゴリは、下部のスクロールバーを操作することにより表示される。
【０１４３】
下位カテゴリ情報表示欄７３は、下位カテゴリのカテゴリ名称等が表示される下位カテゴリ名称表示欄７４と、この下位カテゴリに属する部品の仕様情報等が表示される部品仕様情報表示欄７５と、を含んで構成されている。
【０１４４】
なお、下位カテゴリ表示・選択画面７０の左最上部には、上位カテゴリ表示・選択画面６０で選択された上位カテゴリのカテゴリ名称が表示される上位カテゴリ名称表示欄７１と、横方向に並んで配置されている下位カテゴリのうち、現在処理対象となっている下位カテゴリのカテゴリ名称が表示される下位カテゴリ名称表示欄７２と、からなるパンくずリストが表示されている。
【０１４５】
部品仕様情報表示欄７５は、後述するように、図６等に示す部品表示・選択画面９０で選択された部品の画像が表示される部品画像表示欄７５Ａ（図１４参照）と、部品表示・選択画面９０で選択された部品の部品グループ名称が表示される部品グループ名称表示欄７５Ｂと、図７等に示す部品属性情報選択入力画面１１０で入力された部品の発注数量と単位名称が表示される発注数量・単位名称表示欄７５Ｃと、部品属性情報選択入力画面１１０で入力された部品の発注数量に発注単価を掛けた発注合計金額が表示される発注合計金額表示欄７５Ｄと、部品の下位カテゴリが配置される場所のパターン名称が表示されるカテゴリパターン名称表示欄７５Ｅと、カテゴリパターンを選択する（切り替える）ためのカテゴリパターン選択メニュー７６と、カテゴリパターンを編集するためのパターン編集画面１６０を表示させるための［編集］ボタン７７と、を含んで構成されている。
【０１４６】
また、下位カテゴリ名称表示欄７４の右側には、後述する図１４に示されているように、部品の属性情報の選択入力が確定したことを示す「確」のマークが表示される確定済表示欄７４Ａが配置されている。そして、サーバ１の住宅部品カテゴリ進捗情報テーブル１４の進捗状況区分が２（打合せ済（顧客側））又は３（打合せ済（担当者側））である場合には、確定済表示欄７４Ａには「確」が表示される。
【０１４７】
図５では、表示されている下位カテゴリ（「バスユニットシリーズ・グレード」、「本体セット」、「床」等）の全部について、部品表示・選択画面９０での部品の選択、部品属性情報選択入力画面１１０での部品の属性情報の選択入力が行われていない状態となっており、このため、それぞれの部品仕様情報表示欄７５には、「部品を選択する」の文字列が表示されている。
【０１４８】
なお、下位カテゴリ表示・選択画面７０にも、顧客モード画面と担当者モード画面とがあり、部品カテゴリ情報マスタ２０の表示設定区分に１（担当者にのみ見せる）が設定されている下位カテゴリの情報は、下位カテゴリ表示・選択画面７０の顧客モード画面では何も表示されない。
【０１４９】
なお、顧客モード画面と担当者モード画面の切換は、図４及び後述する図６の画面右最下部に配置されている「お客様」ボタン９６あるいは「担当者」ボタン９７を押下することにより行われる。
【０１５０】
図５に示す下位カテゴリ表示・選択画面７０において、部品の選択をする（処理対象とする）下位カテゴリの部品仕様情報表示欄７５を押下すると、図４に示すように、下位カテゴリ表示・選択画面７０の下には、この下位カテゴリ表示・選択画面７０で選択された下位カテゴに対して選択可能な部品の一覧（商品候補の一覧）を表示するとともにこの一覧から部品を選択させるための部品表示・選択画面９０が表示される。
【０１５１】
図６には、この部品表示・選択画面９０の部分拡大図が表示されている。この図６に示されているように、部品表示・選択画面９０には、下位カテゴリ表示・選択画面７０で選択された下位カテゴリに対して選択可能な部品の一覧（商品候補の一覧）が、カード形式で表示されるものである。横方向及び縦方向に複数個並んで表示されているそれぞれの部品情報カード９１には、部品情報マスタ２２の部品名称、メーカー名称、部品画像が、部品グループ名称表示欄９１Ａに、メーカー名称表示欄６１Ｂ、部品画像表示欄９１Ｃに表示される。ここで、メーカー名称は、部品情報マスタ２２のメーカーＩＤを参照キーとして図示しないメーカーマスタから取得される。
【０１５２】
なお、サーバ１の処理手段３０の部品情報抽出処理手段４１により、下位カテゴリ選択受付処理手段３３により受け付けた下位カテゴリに対して選択可能な部品を、受信された下位カテゴリの識別情報である部品カテゴリＩＤをキーとして、部品情報マスタ２２から抽出する処理が実行され、この部品情報抽出処理手段４１により抽出された部品のレコード情報が部品表示・選択画面９０に表示されるようになっている。
【０１５３】
なお、部品表示・選択画面９０の表示用データは、サーバ１の処理手段３０の部品情報選択入力受付処理手段４２により端末装置３へ送信されるものとなっている。なお、この部品情報選択入力受付処理手段４２は、部品表示・選択画面９０で選択されて端末装置３からネットワーク２を介して送信されてくる部品の識別情報である部品ＩＤを受信する処理も実行するものである。
【０１５４】
なお、部品情報カード９１の部品画像表示欄９１Ｃの右上には、部品画像拡大表示ボタン９１Ｄが配置されており、この部品画像拡大表示ボタン９１Ｄが押下されることにより、部品画像表示欄９１Ｃに表示されている部品画像の拡大画像が別ウィンドウに表示されるようになっている。
【０１５５】
部品表示・選択画面９０の下部には、部品情報カード９１群を前後にスクロール表示させるための部品情報カード群スクロール表示ボタン９２が配置されている。この部品情報カード群スクロール表示ボタン９２は、現在表示されている部品情報カード９１群の後方の部品情報カード９１群をスクロール表示させるための後方スクロール表示ボタン９２Ａと、現在表示されている部品情報カード９１群の前方の部品情報カード９１群をスクロール表させるための前方スクロール表示ボタン９２Ｂと、からなる。すなわち、後方スクロール表示ボタン９２Ａが押下されると、現在表示されている部品情報カード９１群よりも画面奥側（すぐ後ろ）に存在する部品情報カード９１群が表示される。一方、前方スクロール表示ボタン９２Ｂが押下されると、現在表示されている部品情報カード９１群よりも画面手前側（すぐ前）に存在する部品情報カード９１群が表示される。
【０１５６】
また、図６に示されているように、部品表示・選択画面９０の左最下部には、現在表示されている部品情報カード９１群を絞り込むための［絞込み項目を開く］ボタン９３が配置されており、この［絞込み項目を開く］ボタン９３が押下されることにより、図示しない絞込検索条件選択入力画面（ウィンドウ）が表示される。図示されていないが、この絞込検索条件選択入力画面では、部品の価格（最低価格、最高価格）、メーカー名称の指定、部品の属性種別及び属性値（例えば、位置（左／右／中央）、色、サイズ（最小寸法、最大寸法）等）を選択入力し、この絞込検索条件選択入力画面の図示しない［絞込む］ボタンを押下することにより、現在表示されている部品情報カード９１群の件数を絞り込むことができる。なお、一度件数を絞り込んだ後、絞り込む前の部品情報カード９１群の全件を表示させるためには、絞込検索条件選択入力画面の図示しない［条件をクリアする］ボタンを押下して絞込検索条件をクリアした後、［絞込む］ボタンを押下する。
【０１５７】
また、［絞込み項目を開く］ボタン９３の右側には、確定保留データ絞込メニュー９４が配置されており、この絞込メニュー９４を押下すると、「全件表示」、「確定のみ表示」、「保留のみ表示」、「確定、保留のみ表示」４種類のメニュー項目で構成された選択メニューが表示される。「確定のみ表示」が選択されると、部品属性情報選択入力画面１１０において属性情報の選択入力が確定された部品情報カード９１のみが表示され、「保留のみ表示」が選択されると、部品属性情報選択入力画面１１０において属性情報の選択入力が保留された部品情報カード９１のみが表示され、「確定、保留のみ表示」が選択されると、部品属性情報選択入力画面１１０において属性情報の選択入力が確定又は保留された部品情報カード９１のみが表示される。
【０１５８】
また、確定保留データ絞込メニュー９４の右側には、現在表示されている部品情報カード９１群の件数が表示される該当データ件数表示欄９５が配置されている。
【０１５９】
なお、部品表示・選択画面９０にも、顧客モード画面と担当者モード画面があり、この部品表示・選択画面９０のモードは、この部品表示・選択画面９０の前の処理画面である下位カテゴリ表示・選択画面７０の画面モード（前述した画面表示区分）を引き継ぐものとなっている。
【０１６０】
部品表示・選択画面９０に表示されている部品情報カード９１群のうちの１個の部品情報カード９１（図６の例では、１番左側の部品情報カード９１）が押下されると、図７に示すように、部品表示・選択画面９０で選択された部品の属性情報を選択入力させるための部品属性情報選択入力画面１１０が表示される。この部品属性情報選択入力画面１１０にも、顧客モード画面と担当者モード画面があり、部品属性情報選択入力画面１１０のモードは、この部品属性情報選択入力画面１１０の前の処理画面である部品表示・選択画面９０のモードを引き継ぐものとなっている。なお、この部品属性情報選択入力画面１１０における各処理は、サーバ１の部品属性情報選択入力受付処理手段４４により実行される。また、この部品属性情報選択入力画面１１０で選択入力され、住宅仕様情報テーブル１１に登録されている部品の属性情報は、サーバ１の住宅仕様情報抽出処理手段３４により抽出された後、部品属性情報選択入力受付処理手段４４により、部品属性情報選択入力画面１１０に表示される。
【０１６１】
図７に示されているように、部品属性情報選択入力画面１１０の上部には、部品の品名が表示される品名表示欄１１６が配置されており、この品名表示欄１１６に部品表示・選択画面９０で選択された部品の品名が表示される。また、品名表示欄１１６の下には、部品の品番が表示される品番表示欄１１７が配置されており、この品番表示欄１１７の右側には、発注数量を入力するための発注数量入力欄１１３が配置されている。
【０１６２】
そして、品番表示欄１１７の下には、部品表示・選択画面９０で選択された部品に対して選択することができる属性情報の一覧が表示される。すなわち、品番表示欄１１７の下には、属性種別の名称が表示される属性種別表示欄１１１が配置され、この属性種別表示欄１１１の下には、この属性種別に対して設定可能な属性値を文字情報化してカード化したもの（属性値カード）が表示される属性値表示欄１１２が横方向に並んで配置される。これらの属性種別表示欄１１１と属性値表示欄１１２は、部品表示・選択画面９０で選択された部品に対して選択することができる属性種別の数だけ、下方向に繰り返し配置される。
【０１６３】
図７に示されている例では、「バスユニットシリーズ・グレード」の属性種別の名称として「シリーズ」、「坪数」がある。そして、属性種別「シリーズ」で選択可能な属性値については、図６の部品表示・選択画面９０で部品情報カード９１を選択したときに「ＡシリーズＢタイプＣスタイル＜ＸＸＸＸＸ水栓仕様＞」と一意に決定され、属性値表示欄１１２には、この「ＡシリーズＢタイプＣスタイル＜ＸＸＸＸＸ水栓仕様＞」のカードのみが表示される。一方、属性種別「坪数」で選択可能な属性値として、「１．０坪」、「１．２５坪」の２種類があり、２個の属性値表示欄１１２には、左から「１．０坪」の属性値カード、「１．２５坪」の属性値カードが表示される。
【０１６４】
なお、属性値表示欄１１２に表示されている各属性値を選択するためには、この属性値表示欄１１２に表示されている属性値カードを押下する。
【０１６５】
なお、これらの属性情報は、サーバ１の部品属性情報抽出処理手段４３により部品属性情報マスタ２３から抽出される。すなわち、部品属性情報マスタ２３のレコードのうち、部品ＩＤが部品情報選択入力受付処理手段４２により受け付けた部品ＩＤと一致するレコードが、部品属性情報抽出処理手段４３により抽出され、抽出されたレコードの属性情報が部品属性情報選択入力画面１１０に表示される。
【０１６６】
品名表示欄１１６の上部には、この部品属性情報選択入力画面１１０に表示されている部品の各属性種別で選択可能な属性値の組合せ件数が表示される属性値組合せ件数表示欄１１４が配置されておいる。すなわち、属性値組合せ件数表示欄１１４には、部品の属性のバリエーションの数が表示される。
【０１６７】
図７に示されている例では、「シリーズ」の属性値が１パターン、「坪数」の属性値が２パターンとなっており、属性値組合せ件数表示欄１１４には、１×２の合計２件が表示される。なお、この属性値組合せ件数表示欄１１４に表示される組合せ件数は、必ずしも各属性種別の属性値のパターン数を乗算した数とは限らない。すなわち、ある属性種別の属性値が決定されることにより、他の属性種別の属性値で選択可能なパターンが制限される場合がある。
【０１６８】
なお、属性値の選択は、属性値表示欄１１２に表示されている属性値カードを押下することにより行われる。
【０１６９】
また、部品属性情報選択入力画面１１０の左側には、上から、部品のグループ名称が表示される部品グループ名称表示欄１１９、部品の品名が表示される品名表示欄１２０、部品の品番が表示される品番表示欄１２１、部品画像が表示される部品画像表示欄１２２、この部品画像表示欄１２２に表示されている部品画像の拡大画像を別ウィンドウに表示させるための部品画像拡大表示ボタン１２３、サーバ１に保存されている部品のカタログ情報を表示するための［商品詳細１］ボタン１２４、部品のメーカー名称が表示されるメーカー名称表示欄１２５、部品についての説明文が表示される商品説明文表示欄１２６等が
なお、図７では、部品の属性種別の属性値が選択されていないため、品番表示欄１１７、品番表示欄１２１には、何も表示されない。
【０１７０】
図８は、図７で示されている部品属性情報選択入力画面１１０において、属性種別「坪数」の属性値として「１．２５坪」が選択されたときを示す図である。
【０１７１】
この図８に示すように、「１．２５坪」が表示された属性値カードの背景色は、属性種別「シリーズ」の「ＡシリーズＢタイプＣスタイル＜ＸＸＸＸＸ水栓仕様＞」が表示された属性値カードと同様に、青色に着色される（図８では、便宜上網掛け表示となっている。）。
【０１７２】
このように、属性種別「坪数」の属性値が選択されることにより、属性値組合せ件数表示欄１１４に表示される件数は、図７に示す２件から１件となる。
【０１７３】
なお、属性値の選択を解除するためには、部品属性情報選択入力画面１１０の右上に配置されている［絞込みをクリア］ボタン１１５を押下する。この［絞込みをクリア］ボタン１１５が押下されると、選択されていた属性値カードの背景色は、青色から未選択の状態の色である白色に変更される。
【０１７４】
図７及び図８に示すように、部品属性情報選択入力画面１１０の右下には、これらの部品の属性情報を保留した状態（住宅仕様情報テーブル１１の確定保留区分に２（保留）を移送）でサーバ１の住宅仕様情報テーブル１１に保存するための［保留する］ボタン１１８が配置されているが、属性値が選択されることにより、この［保留する］ボタン１１８の左側には、これらの部品の属性情報を確定した状態（住宅仕様情報テーブル１１の確定保留区分に１（確定）を移送）でサーバ１の住宅仕様情報テーブル１１に記憶するための［確定する］ボタン１３２が配置される。
【０１７５】
これらの［確定する］ボタン１３２又は［保留する］ボタン１１８が押下されると、部品属性情報選択入力画面１１０で選択入力された部品の属性情報が、サーバ１の住宅仕様情報テーブル１１へ住宅仕様情報登録処理手段３５により記憶され、この後、図９に示す下位カテゴリ表示・選択画面７０に戻る。
【０１７６】
図９に示されているように、下位カテゴリ表示・選択画面７０の３個の下位カテゴリ情報表示欄７３のそれぞれに表示されている下位カテゴリは、図５の表示状態と比較して、左横方向へ１個分スクロールしている。すなわち、図５では、１番左側から「バスユニットシリーズ・グレード」、「本体セット」、「床」の順で表示されるが、図９では、１番左側から「本体セット」、「床」、「壁」の順となる。
【０１７７】
なお、この下位カテゴリ表示・選択画面７０の右側に配置されている「バスユニットの選択を完了する」ボタン７９を押下することにより、この上位カテゴリ「バスユニット」に属する下位カテゴリ全部に対しての部品（商品）の選択、選択された部品（商品）についての属性情報の選択入力が完了した扱いの処理が実行された後、図２に示す上位カテゴリ表示・選択画面６０が表示される。すなわち、上位カテゴリ「バスユニット」に属する下位カテゴリのうち、部品の選択、選択された部品についての属性情報の選択入力が完了していない下位カテゴリが存在しても、上位カテゴリ「バスユニット」として、部品の選択、選択された部品についての属性情報の選択入力は完了してた扱いの処理が実行される。このため、図２に示す上位カテゴリ表示・選択画面６０の「バスユニット」の上位カテゴリ情報カード６５の進捗状況表示欄６５Ｂには、サーバ１のシステム日付と「打合せ済」を連結した文字列「XXXX年XX月XX日打合せ済」が表示される。
【０１７８】
一方、下位カテゴリ表示・選択画面７０の右側に配置されている「フロー画面に戻る」ボタン７８を押下した場合には、「バスユニットの選択を完了する」ボタン７９を押下したときに行われる処理は行われず、そのまま、図２に示す上位カテゴリ表示・選択画面６０へ戻る。
【０１７９】
図１０は、図９で示されている３個の下位カテゴリ情報表示欄７３を、スクロールバーで右横方向へ１個分スクロールさせた後、１番左側の下位カテゴリ情報表示欄７３を押下したときの下位カテゴリ表示・選択画面７０及び部品表示・選択画面９０を示す図である。すなわち、図１０は、図９の表示状態から、図５と同様の表示状態にしたときを示す図である。
【０１８０】
この図１０に示されているように、１番左側の下位カテゴリ情報表示欄７３を構成する部品仕様情報表示欄７５の部品画像表示欄７５Ａには、図６に示す部品表示・選択画面９０で選択された部品の画像が表示され、部品グループ名称表示欄７５Ｂには、図６に示す部品表示・選択画面９０で選択された部品の部品グループ名称が表示され、発注数量・単位名称表示欄７５Ｃには、図７及び図９に示す部品属性情報選択入力画面１１０で入力された部品の発注数量と単位名称が表示される。
【０１８１】
また、図１０に示されているように、部品表示・選択画面９０には、図６に示す部品表示・選択画面９０で選択された１個の部品情報カード９１のみが表示され、この部品情報カード９１の部品画像表示欄９１Ｃの下には、カテゴリパターンのパターン名称が表示されるカテゴリパターン名称表示欄９９Ａと、部品属性情報選択入力画面１１０で入力された発注数量及び単位名称が表示される発注数量・単位名称表示欄９９Ｂと、この部品情報カード９１に表示されている部品の属性情報の詳細を表示するための「詳細」ボタン１００と、が配置、表示される。
【０１８２】
すなわち、カテゴリパターン名称表示欄９９Ａには、下位カテゴリ表示・選択画面７０のカテゴリパターン選択メニュー７６に表示されている現在選択中のパターン名称（図１０の例では「Ｎｏ．１」）が表示され、発注数量・単位名称表示欄９９Ｂには、部品属性情報選択入力画面１１０で入力された発注数量（図１０の例では「１」）と、この発注数量の単位名称（図１０の例では「セット」）が表示される。また、「詳細」ボタン１００が押下されると、この部品情報カード９１に表示されている部品の詳細情報が表示された図７に示す部品属性情報選択入力画面１１０が表示される。
【０１８３】
次に、図９において、１番左側の下位カテゴリ情報表示欄７３に表示されている下位カテゴリである「本体セット」について、部品表示・選択画面９０での部品の選択、部品属性情報選択入力画面１１０での部品の属性情報の選択入力を行う場合について説明する。
【０１８４】
下位カテゴリである「本体セット」は、先に部品の選択、部品の属性情報の選択入力を行った下位カテゴリ「バスユニットシリーズ・グレード」に従属するものとなっているため、図９の部品表示・選択画面９０には、１個の部品情報カード９１（図７の部品属性情報選択入力画面１１０において選択した属性情報（属性種別「シリーズ」の属性値が「ＡシリーズＢタイプＣスタイル＜ＸＸＸＸＸ水栓仕様＞」、属性種別「坪数」の属性値が「１．２５坪」）に対応する「本体セット」）のみが表示される。
【０１８５】
なお、図９に示すように、部品情報カード９１のメーカー名称表示欄９１Ｂの下には、発注合計金額表示欄９９Ｃが配置されており、この発注合計金額表示欄９９Ｃには、部品属性情報選択入力画面１１０で選択入力する属性種別の属性値の組合せにより算出される部品の発注単価の最低額（図９の例では「７６５，４４０円」）と最高額（図９の例では「８７５，１６０円」）が表示される。
【０１８６】
この図９に１個表示されている部品情報カード９１を押下すると、図７と同様に、図１１に示す部品属性情報選択入力画面１１０が表示される。この図１１に示されている部品属性情報選択入力画面１１０は、図７と同様に顧客モードであって、全ての属性種別の属性値の選択が完了したときを示すものである。
【０１８７】
図１１に示すように、発注数量入力欄１１３の上には、発注単価が表示される発注単価表示欄１２８が配置され、また、画面１１０の最下部には、発注合計金額が表示される発注合計金額表示欄１３０が配置されている。この発注合計金額表示欄１３０の右側には、［金額を更新］ボタン１３１が配置されており、このボタン１３１を押下することにより、発注合計金額表示欄１３０に再計算された発注合計金額が再表示される。また、画面１１０の左側の品番表示欄１２１の下には、部材単価（発注単価）が表示される部材（発注）単価表示欄１３３が配置されている。
【０１８８】
前述したように、図１１は、顧客モードの部品属性情報選択入力画面１１０であり、画面に表示されている全ての属性種別の属性値が選択されているが、担当者側で選択すべき属性種別の属性値の選択がなされていないため、品名、品番、発注単価は、確定されていない状態となっている。このため、画面１１０の上部の品名表示欄１１６、品番表示欄１１７及び発注単価表示欄１２８、画面１１０の左側の品名表示欄１２０、品番表示欄１２１及び部材単価表示欄１３３には、何も表示されない。
【０１８９】
なお、属性値に画像情報が含まれている場合には、属性値表示欄１１２の欄外下部には、属性値画像拡大表示ボタン１２９が配置されており、この属性値画像拡大表示ボタン１２９が押下されることにより、属性値表示欄１１２に表示されている属性値画像の拡大画像が別ウィンドウに表示されるようになっている。
【０１９０】
また、画面１１０の左側の下部のメーカー名称表示欄１２５の下には、確定属性情報表示欄１２７が配置されており、この確定属性情報表示欄１２７に属性種別と選択された属性値が表示されている。
【０１９１】
図１２には、図１１で示された部品属性情報選択入力画面１１０において、各属性種別に対する属性値を選択し、［確定する］ボタン１３２又は［保留する］ボタン１１８が押下された後の下位カテゴリ表示・選択画面７０と部品表示・選択画面９０が示されている。
【０１９２】
この図１２に示されているように、「本体セット」の下位カテゴリ情報表示欄７３の部品仕様情報表示欄７５には、部品画像表示欄７５Ａ、部品グループ名称表示欄７５Ｂ、発注数量・単位名称表示欄７５Ｃ及び発注合計金額表示欄７５Ｄが配置されている。そして、部品画像表示欄７５Ａには、図９の部品表示・選択画面９０の部品情報カード９１の部品画像表示欄９１Ｃに表示されている部品画像のサムネイルが表示され、部品グループ名称表示欄７５Ｂには、図９の部品表示・選択画面９０の部品情報カード９１の部品グループ名称表示欄９１Ａに表示されている部品グループ名称が表示される。また発注数量・単位名称表示欄７５Ｃには、図１１に示す部品属性情報選択入力画面１１０の発注数量入力欄１１３で入力された発注数量と単位名称が表示され、発注合計金額表示欄７５Ｄには、図１１に示す部品属性情報選択入力画面１１０の発注数量入力欄１１３で入力された発注数量に、発注単価表示欄１２８に表示された発注単価を掛けた発注合計金額が表示される。また、部品仕様情報表示欄７５の左上部には、カテゴリパターン名称表示欄７５Ｅが配置されており、このカテゴリパターン名称表示欄７５Ｅには、下位カテゴリ「バスユニットシリーズ・グレード」の部品仕様情報表示欄７５のカテゴリパターン選択メニュー７６で選択したカテゴリパターンのパターン名称が表示される。
【０１９３】
なお、部品仕様情報表示欄７５の右上部には、［クリア］ボタン８０が配置されており、この［クリア］ボタン８０を押下することにより、部品属性情報選択入力画面１１０で選択された属性情報がクリアされる。
【０１９４】
また、図１２に示されているように、部品表示・選択画面９０の部品情報カード９１の下部には、発注合計金額表示欄９９Ｃが配置されており、この発注合計金額表示欄９９Ｃには、下位カテゴリ表示・選択画面７０の下位カテゴリ情報表示欄７３の部品仕様情報表示欄７５の発注合計金額表示欄７５Ｄと同様に、図１１に示す部品属性情報選択入力画面１１０の発注数量入力欄１１３で入力された発注数量に、発注単価表示欄１２８に表示された発注単価を掛けた発注合計金額が表示される。
【０１９５】
この図１２に示されている下位カテゴリ表示・選択画面７０及び部品表示・選択画面９０は、顧客モード画面であり、図６に示すように、部品表示・選択画面９０の右下部に配置されている［担当者］ボタン９７を押下すると、画面７０，９０は担当者モード画面に切り替わる。
【０１９６】
図１３は、図１２において、担当者モード画面に切り替えた後、部品表示・選択画面９０の部品情報カード９１の下部に配置されている「詳細」ボタン１００を押下したときに表示される部品属性情報選択入力画面１１０を示す図である。
【０１９７】
この図１３に示されている担当者モードの部品属性情報選択入力画面１１０では、図１１に示す顧客モードの部品属性情報選択入力画面１１０に表示された属性情報に加えて、担当者側で仕様を確定すべき属性情報が表示されている。すなわち、この図１３の例では、図１１では表示されなかった属性種別である「床サイズ」、「扉の向き」等が表示されており、担当者は、これらの属性種別について選択可能な属性値を選択することになる。
【０１９８】
そして、図１３は、上述した「床サイズ」、「扉の向き」等に対する属性値が担当者により選択されたときを示すものであり、このため、上位カテゴリ「バスユニット」の下位カテゴリ「本体セット」の部品の仕様情報が確定したことになる。このことは、属性値組合せ件数表示欄１１４に表示されている件数が１となっていることからも分かる。
【０１９９】
これにより、図１３に示されているように、画面１１０の上部の品名表示欄１１６には、確定した品名である「浴ＡＢＣ本体般Ｗ１．２５ＢｅＬＣ開白」が表示され、品番表示欄１１７には、確定した品番である「ＳＹ１−１２３４５」が表示され、発注単価表示欄１２８には、確定した発注単価「７８６，５７０円」が表示される。また、画面１１０の左側の品名表示欄１２０にも、確定した品名「浴ＡＢＣ本体般Ｗ１．２５ＢｅＬＣ開白」が表示され、品番表示欄１２１にも、確定した品番「ＳＹ１−１２３４５」が表示され、部材単価表示欄１３３にも、確定した発注単価「７８６，５７０円」が表示される。
【０２００】
図１４は、図１３で示された部品属性情報選択入力画面１１０において、全ての属性種別に対する属性値を選択し、［確定する］ボタン１３２又は［保留する］ボタン１１８が押下された後の下位カテゴリ表示・選択画面７０と部品表示・選択画面９０が示されている。
【０２０１】
図１４に示されているように、下位カテゴリ表示・選択画面７０の「本体セット」の下位カテゴリ情報表示欄７３の部品仕様情報表示欄７５の部品グループ名称表示欄７５Ｂには、確定した品名「浴ＡＢＣ本体般Ｗ１．２５ＢｅＬＣ開白」が表示され、発注合計金額表示欄７５Ｄには、確定した発注合計金額「７９９，２５０円」が表示される。また、部品表示・選択画面９０の部品情報カード９１の発注単価表示欄９１Ｅには、確定した発注単価「７８６，５７０円」が表示され、部品情報カード９１の下部の発注合計金額表示欄９９Ｃには、確定した発注合計金額「７９９，２５０円」が表示される。
【０２０２】
図５等に示されている下位カテゴリ表示・選択画面７０の下位カテゴリ情報表示欄７３の部品仕様情報表示欄７５の上部に配置されているカテゴリパターン選択メニュー７６の横の［編集］ボタン７７を押下すると、図１５に示すように、顧客の住宅図面におけるカテゴリパターン選択メニュー７６が表示されている部品の下位カテゴリの位置情報である座標情報を入力するための住宅部品座標情報情報入力画面となっている部品カテゴリカード座標情報入力画面１５０が表示される。なお、この部品カテゴリカード座標情報入力画面１５０における各処理は、サーバ１の部品カテゴリカード座標情報入力受付処理手段３７により実行される。
【０２０３】
この部品カテゴリカード座標情報入力画面１５０は、顧客の住宅図面が表示される住宅図面表示領域１５５と、この住宅図面表示領域１５５の住宅図面に配置する部品カテゴリカード１７１がプールされる部品カテゴリカードプール領域１７０と、を含んで構成されている。また、部品カテゴリカード座標情報入力画面１５０の左側には、現在処理対象となっている部品の下位カテゴリのパターン編集（パターンの追加・削除、パターン名称の変更）等を行うためのパターン編集画面１６０も配置されている。
【０２０４】
図１５に示されているように、住宅図面表示領域１５５には、最大で６枚の住宅図面が切替表示可能となっており、これらの住宅図面の表示切替は、各住宅図面の上部に設けられた図面表示切替タブ１５１を押下することにより行われる。画像データファイルとなっているこれらの住宅図面は、サーバ１の所定のフォルダに保存されており、それぞれのファイルには、顧客ＩＤとプランＩＤと図面番号（連番（シーケンス番号））で構成されるファイル名が付与されている。したがって、住宅図面表示領域１５５に読み込まれる住宅図面は、部品カテゴリカード座標情報入力受付処理手段３７により、現在処理対象の顧客の顧客ＩＤとプランＩＤに基づいて、サーバ１の所定のフォルダ内を検索して取得される。
【０２０５】
なお、これらの住宅図面は、所定のファイルサイズ（本実施形態では、Ａ３用紙サイズ）にリサイズ処理されている。
【０２０６】
なお、住宅図面表示領域１５５の枠外の右上部には、端末装置３から顧客の住宅図面をサーバ１にアップロードするための［図面登録］ボタン１５２が配置されている。また、この［図面登録］ボタン１５２の右上には、［Ｘ］ボタン１５４が配置されており、この［Ｘ］ボタン１５４を押下することにより、現在表示されている画面を閉じて処理を終了させることができる。
【０２０７】
図１５に示されている例では、顧客の住宅図面は、１階の平面図と、２階の平面図とがあり、これら２枚の住宅図面がサーバ１に保存されており、図面表示切替タブ１５１のうちの「図面１」タブ１５１Ａを押下することにより、図１５に示す１階の平面図２０１が表示され、「図面２」タブ１５１Ｂを押下することにより、図１８に示す２階の平面図２０２が表示される。
【０２０８】
部品カテゴリカードプール領域１７０には、２個の部品カテゴリカード１７１Ａ，１７１Ｂがプール（滞留）されており、部品カテゴリカード１７１Ａには、文字列「バスユニットシリーズ・グレード＞＞Ｎｏ．１」が表示され、部品カテゴリカード１７１Ｂには、文字列「バスユニットシリーズ・グレード＞＞Ｎｏ．２」が表示されている。
【０２０９】
すなわち、部品カテゴリカード１７１Ａには、部品仕様情報表示欄７５に［編集］ボタン７７が配置されている下位カテゴリのカテゴリ名称「バスユニットシリーズ・グレード」と、文字「＞＞」と、このバスユニットシリーズ・グレードの２個のあるパターンのうちの一方のパターンのパターン名称である「Ｎｏ．１」と、が連結された文字列が表示されている。一方、部品カテゴリカード１７１Ｂには、部品カテゴリカード１７１Ａに表示されていると同じ下位カテゴリのカテゴリ名称「バスユニットシリーズ・グレード」と、このバスユニットシリーズ・グレードの２個のあるパターンのうちの他方のパターン名称である「Ｎｏ．２」とを含む文字列が編集表示されている。
【０２１０】
なお、上述したように、部品の下位カテゴリが「バスユニットシリーズ・グレード」の場合のパターンは「Ｎｏ．１」、「Ｎｏ．２」等の２パターンであるが、このパターンは下位カテゴリによって任意に設定することができ、このパターン名称を含むパターン情報は、前述したように、図１に示す部品カテゴリパターン情報マスタ２１に、下位カテゴリの識別情報である部品カテゴリＩＤと関連付けて記憶されている。
【０２１１】
例えば、下位カテゴリが「外装材」である場合には、パターンとして「メイン」、「アクセント１」、「アクセント２」、「アクセント３」、「バルコニー外側」、「バルコニー内側」、「外部収納」、「カーポート内部」等の８パターンがあり、下位カテゴリが「サッシ内部色」である場合には、パターンとして「基本」、「１Ｆ」、「２Ｆ」、「３Ｆ」、「ＬＤＫ」、「和室」、「洋間１」、「洋間２」等の８パターンがあり、下位カテゴリが「壁付手摺り」である場合には、パターンとして「便所１」、「便所２」、「玄関」等の３パターンがある。
【０２１２】
このため、下位カテゴリが「外装材」である場合には、初期状態の部品カテゴリカードプール領域１７０には、「外装材＞＞メイン」、「外装材＞＞アクセント１」、「外装材＞＞クセント２」、「外装材＞＞アクセント３」、「外装材＞＞バルコニー外側」、「外装材＞＞バルコニー内側」、「外装材＞＞外部収納」、「外装材＞＞カーポート内部」と表示された８枚の部品カテゴリカード１７１がプールされる。
【０２１３】
部品カテゴリカードプール領域１７０にプールされている部品カテゴリカード１７１を、住宅図面表示領域１５５に表示されている住宅図面の所定の位置へ配置するためには、図１５に示されているように、部品カテゴリカードプール領域１７０にプールされている複数の部品カテゴリカード１７１のうち、住宅図面へ配置する部品カテゴリカード（図１５の例では、文字列「バスユニットシリーズ・グレード＞＞Ｎｏ．１」が表示されている部品カテゴリカード１７１Ａ）を、マウスで、住宅図面（図１５の例では、１階の平面図２０１）におけるバスユニットの図形又はその近傍までドラッグさせた後、ドロップさせればよい。
【０２１４】
なお、部品カテゴリカードプール領域１７０にプールされている部品カテゴリカード１７１を、住宅図面表示領域１５５に表示されている住宅図面の所定の位置へ配置する処理は、サーバ１の部品カテゴリカード配置処理手段３８により実行される。
【０２１５】
この後、サーバ１の部品カテゴリカード座標情報取得処理手段３９により、１階の平面図２０１における「バスユニットシリーズ・グレード＞＞Ｎｏ．１」の部品カテゴリカード１７１Ａの座標情報（本実施形態では、部品カテゴリカードの重心部分の座標情報）が取得される。
【０２１６】
この後、部品カテゴリカード座標情報取得処理手段３９により取得されて端末装置３からネットワーク２を介して送信されてくる部品カテゴリカード１７１Ａの座標情報を受信する処理が、部品カテゴリカード座標情報入力受付処理手段３７により実行される。
【０２１７】
そして、この部品カテゴリカード座標情報入力受付処理手段３７により受け付けた部品カテゴリカード１７１Ａの座標情報が、プランＩＤと、部品カテゴリＩＤと、パターンＩと、１階の平面図の図面番号（住宅図面表示領域１５５に表示されている各住宅図面を識別するための情報）と、に関連付けて住宅部品カテゴリパターン座標情報テーブル１２に記憶させる処理が、住宅仕様情報登録処理手段３５により実行される。これにより、住宅部品カテゴリパターン座標情報テーブル１２には、プランＩＤ、部品カテゴリＩＤ、パターンＩＤ、顧客の住宅図面番号、この図面番号の住宅図面における部品カテゴリカード１７１Ａの２次元座標情報（Ｘ座標、Ｙ座標）等が記憶される。
【０２１８】
図１６は、１階の平面図２０１のバスユニットの図形又はその近傍に「バスユニットシリーズ・グレード＞＞Ｎｏ．１」の部品カテゴリカード１７１Ａを配置したときを示す図である。
【０２１９】
この図１６に示されているように、部品カテゴリカード１７１Ａが１階の平面図２０１に所定位置に配置されたことにより、部品カテゴリカードプール領域１７０にプールされている部品カテゴリカード１７１は、「バスユニットシリーズ・グレード＞＞Ｎｏ．２」の部品カテゴリカード１７１Ｂのみとなる。
【０２２０】
なお、住宅図面表示領域１５５の右上には、現在表示されている住宅図面を縮小して表示するための調整つまみ１５３Ａを有する縮尺調整スライダー１５３が配置されている。初期位置が右端となっている調整つまみ１５３Ａを、マウスのドラッグ操作で左方向に移動させると、図１７に示すように、現在表示されている住宅図面が縮小して表示されるようになる。なお、住宅図面の一部をマウスでドラッグ操作したまま、住宅図面を動かすと、この住宅図面をスクロール表示させることができる。
【０２２１】
なお、部品カテゴリカードプール領域１７０に残っている「バスユニットシリーズ・グレード＞＞Ｎｏ．２」の部品カテゴリカード１７１Ｂについては、図面表示切替タブ１５１のうちの「図面２」タブ１５１Ｂを押下して、図１８に示されているように、２階の平面図２０２を表示させた後、この２階の平面図２０２のバスユニットの図形又はその近傍に部品カテゴリカード１７１Ｂを移動させる。
【０２２２】
図１５に示されているように、部品カテゴリカードプール領域１７０の枠外の右側には、この部品カテゴリカードプール領域１７０にプールされている部品カテゴリカード１７１を複製するための［複製］ボタン１７２と、この［複製］ボタン１７２により複製された部品カテゴリカード１７１を削除するための［削除］ボタン１７３が配置されている。
【０２２３】
部品カテゴリカード１７１を複製する場合には、まず、複製したい部品カテゴリカード１７１をクリック（これにより、図示されていないが、カードの背景色が変化する）した後、［複製］ボタン１７２を押下する。これにより、図１９に示す部品カテゴリカード複製処理確認ウィンドウ１７４が表示され、［はい］ボタン１７４Ａが押下されると、複製処理が実行され、部品カテゴリカードプール領域１７０には、複製したい部品カテゴリカード１７１と同じものが表示される。一方、［いいえ］ボタン１７４Ｂが押下されると、複製処理の実行が中止される。
【０２２４】
なお、この複製処理は、サーバ１の部品カテゴリカード座標情報入力受付処理手段３７を構成する図示しない部品カード複製処理手段により実行され、複製された部品カテゴリカード情報は、端末装置１からネットワーク２を介して送信され、部品カテゴリカード座標情報入力受付処理手段３７により受信される。そして、この受信された部品カテゴリカード情報は、住宅仕様情報登録処理手段３５により、住宅部品カテゴリパターン座標情報テーブル１２へ登録（新規登録又は更新）される。すなわち、住宅図面に配置されずに複製のみされた部品カテゴリカード情報（住宅図面番号と２次元座標情報が未入力であるもの）も、住宅仕様情報登録処理手段３５により、住宅部品カテゴリパターン座標情報テーブル１２に登録される。
【０２２５】
一方、［複製］ボタン１７２の押下により複製された部品カテゴリカード１７１を削除する場合には、まず、削除したい部品カテゴリカード１７１をクリック（これにより、図示されていないが、カードの背景色色が変化する）した後、［削除］ボタン１７３を押下する。これにより、図２０に示す部品カテゴリカード削除処理確認ウィンドウ１７５が表示され、［はい］ボタン１７５Ａが押下されると、削除処理が実行され、部品カテゴリカードプール領域１７０から、削除指定した部品カテゴリカード１７１が削除される。一方、［いいえ］ボタン１７５Ｂが押下されると、削除処理の実行が中止される。
【０２２６】
なお、この削除処理は、サーバ１の部品カテゴリカード座標情報入力受付処理手段３７を構成する図示しない部品カード削除処理手段により実行され、削除指定された部品カテゴリカード情報は、端末装置１からネットワーク２を介して送信され、部品カテゴリカード座標情報入力受付処理手段３７により受信される。そして、この受信された部品カテゴリカード情報は、住宅仕様情報登録処理手段３５により、住宅部品カテゴリパターン座標情報テーブル１２から削除される。すなわち、住宅図面に配置されていない部品カテゴリード情報が、住宅仕様情報登録処理手段３５により、住宅部品カテゴリパターン座標情報テーブル１２から削除される。
【０２２７】
なお、住宅部品カテゴリパターン座標情報テーブル１２に登録済の下位カテゴリの座標情報を、この住宅部品カテゴリパターン座標情報テーブル１２から抽出する処理は、住宅仕様情報抽出処理手段３４により実行される。
【０２２８】
前述したように、図１５に示す部品カテゴリカード座標情報入力画面１５０の左側には、現在処理対象となっている部品の下位カテゴリのパターン編集（パターンの追加・削除、パターン名称の変更）を行うためのパターン編集画面１６０が配置されている。なお、このパターン編集画面１６０における各処理は、サーバ１の住宅部品カテゴリカードパターン情報入力受付処理手段４０により実行される。
【０２２９】
図２１には、このパターン編集画面１６０の部分拡大図が示されてり、このパターン編集画面１６０の上部には、［選択中のパターンをコピー貼付する］ボタン１６１が配置されている。
【０２３０】
この［選択中のパターンをコピー貼付する］ボタン１６１は、現在選択中のパターンに対して選択した属性情報を、指定した他のパターンに対して選択した属性情報としてコピー貼付する機能を有するものである。
【０２３１】
図２１の例では、現在処理対象となっている下位カテゴリ「バスユニットシリーズ・グレード」の２個のパターン「Ｎｏ．１」、「Ｎｏ．２」のうち、現在選択中のパターン（図５のカテゴリパターン選択メニュー７６で選択中のパターン）である「Ｎｏ．１」に対して図８の部品属性情報選択入力画面１１０で選択した属性情報を、指定した他のパターンである「Ｎｏ．２」に対して選択した属性情報としてコピー貼付する機能を有するものである。すなわち、住宅仕様情報テーブル１１のレコードのうち、顧客ＩＤが現在処理対象となっている顧客のＩＤであって、プランＩＤが現在処理対象となっているプランＩＤであって、部品カテゴリＩＤが「バスユニットシリーズ・グレード」のＩＤであって、パターンＩＤが「Ｎｏ．１」であるレコードを、パターンＩＤが「Ｎｏ．２」のレコードとして、住宅仕様情報テーブル１１に新規登録又は更新する処理が、サーバ１の住宅仕様情報登録処理手段３５により実行される。
【０２３２】
これにより、下位カテゴリ「バスユニットシリーズ・グレード」のパターン「Ｎｏ．２」に対してパターン「Ｎｏ．１」に対して選択した属性情報をそのまま適用する場合には、下位カテゴリ「バスユニットシリーズ・グレード」のパターン「Ｎｏ．２」に対して部品表示・選択画面９０での部品の選択、部品属性情報選択入力画面１１０での選択した部品の各属性種別の属性値の選択、決定作業を行う必要がなくなる。
【０２３３】
図２１の例の場合、パターン「Ｎｏ．１」の行１６３Ａと、パターン「Ｎｏ．２」の行１６３Ｂの２行からなるパターンリスト１６３において、パターン「Ｎｏ．２」の行１６３Ｂをクリックした後、［選択中のパターンをコピー貼付する］ボタン１６１を押下することにより、パターン「Ｎｏ．１」の属性情報を、パターン「Ｎｏ．２」の属性情報にコピー貼付けする処理が実行される。
【０２３４】
また、図２１に示すパターン編集画面１６０の前述した［選択中のパターンをコピー貼付する］ボタン１６１の下には、［追加］ボタン１６２が配置されている。
【０２３５】
この［追加］ボタン１６２を押下することにより、図２２に示すように、パターン「Ｎｏ．１」の行１６３Ａと、パターン「Ｎｏ．２」の行１６３Ｂの２行からなるパターンリスト１６３には、パターン「３」の行１６３Ｃが追加される。なお、追加されたパターンのパターン名称は、住宅仕様情報登録処理手段３５により、プランＩＤと、部品カテゴリＩＤと、パターンＩＤと、に関連付けて住宅部品カテゴリパターン情報テーブル１３に記憶させる処理が実行される。
【０２３６】
この後、パターン「３」の行１６３Ｃの右側に配置されている［編集］ボタン１６４を押下することにより、パターン編集画面１６０には、図２３に示すパターン名称を編集するためのパターン名称編集ウィンドウ１６６が表示される。
【０２３７】
このパターン名称編集ウィンドウ１６６のパターン名称編集欄１６６Ａで、パターン名称を適宜編集した後、［更新］ボタン１６６Ｂを押下することにより、パターン名称が変更される。一方、パターン名称の編集を中止したい場合には、［キャンセル］ボタン１９３Ｂを押下する。
【０２３８】
また、図２２に示すように、［編集］ボタン１６４の横には、［削除］ボタン１６５が配置されており、この［削除］ボタン１６５を押下することにより、［追加］ボタン１６２で追加したパターンを削除することができる。
【０２３９】
なお、既存のパターン「Ｎｏ．１」、「Ｎｏ．２」についても、［編集］ボタン１６４を押下することによりパターン名称を編集することができ、［削除］ボタン１６５を押下することによりパターンを削除することができる。
【０２４０】
このように、本実施形態では、パターンは、顧客毎に追加可能となっているとともに、パターン名称は、顧客毎に変更可能となっている。
【０２４１】
なお、以上の住宅部品カテゴリパターン情報テーブル１３のレコードの更新、削除の処理は、住宅仕様情報登録処理手段３５により実行される。また、住宅部品カテゴリパターン情報テーブル１３に登録済のパターン情報を、この住宅部品カテゴリパターン情報テーブル１３から抽出する処理は、住宅仕様情報抽出処理手段３４により実行される。
【０２４２】
なお、前述したように、図１５に示すように、住宅図面表示領域１５５の枠外の右上部には、端末装置３から顧客の住宅図面をサーバ１にアップロードするための［図面登録］ボタン１５２が配置されている。
【０２４３】
図２４には、この［図面登録］ボタン１５２が押下されたときに、端末装置３に表示されるアップロード住宅図面ファイル指定ウィンドウ１８０が示されている。なお、図面登録］ボタン１５２の押下以降の処理は、サーバ１の住宅図面アップロード処理手段３６により実行される。
【０２４４】
このアップロード住宅図面ファイル指定ウィンドウ１８０において、サーバ１にアップロードする住宅図面の画像ファイルを、端末装置３の内部記憶装置や外部記憶装置から指定（選択）した後、［開く（Ｏ）］ボタン１８０Ａを押下することにより、指定した住宅図面の画像ファイルがサーバ１にアップロードされる。なお、ファイル指定を中止する場合には、［キャンセル］ボタン１８０Ｂを押下する。
【０２４５】
サーバ１にアップロードされる住宅図面の画像ファイルは、顧客ＩＤとプランＩＤと図面番号（連番（シーケンス番号））で構成されるファイル名が付与されてサーバ１の所定のフォルダに保存される。
【０２４６】
また、サーバ１にアップロードされる住宅図面の画像ファイルは、所定のファイルサイズ（本実施形態では、Ａ３用紙サイズ）にリサイズ処理された後、サーバ１に保存される。
【０２４７】
このように、本実施形態では、サーバ１に保存されている顧客の住宅図面は、端末装置３からサーバ１へアップロード可能となっている。
【０２４８】
図２５は、部品属性情報選択入力画面１１０において属性情報の選択入力が確定した部品（確定を保留した部品を含む）についての属性情報の一覧を照会するための仕様確定済部品一覧照会画面２１０（選択部品一覧照会画面２１０）を示す図である。なお、この仕様確定済部品一覧照会画面２１０における各処理は、サーバ１の仕様確定済部品一覧照会処理手段５０により実行される。
【０２４９】
この仕様確定済部品一覧照会画面２１０の右上部には、一覧表示させたい部品の最上位カテゴリを選択させるためのリスト形式の最上位カテゴリ（フロー１）選択メニュー２１１と、上位カテゴリを選択させるためのリスト形式の上位カテゴリ（フロー２）選択メニュー２１２が配置されており、これらの選択メニュー２１１，２１２において、最上位カテゴリと、上位カテゴリを選択した後、上位カテゴリ選択メニュー２１２の右側に配置されている［表示］ボタン２１３を押下することにより、図２５に示す仕様確定済部品の属性情報（仕様情報）の一覧が表示される。
【０２５０】
図２５に示されているように、仕様確定済部品一覧照会画面２１０には、ヘッダー情報が表示される表示欄として、顧客氏名が表示される顧客氏名表示欄２１７、サーバ１のシステム日付が表示されるシステム日付表示欄２１８、顧客の住宅の契約Ｎｏが表示される契約Ｎｏ表示欄２１９等がある。
【０２５１】
また、明細情報が表示される表示欄として、最上位カテゴリ名称が表示される最上位カテゴリ名称表示欄２２０、上位カテゴリ名称が表示される上位カテゴリ名称表示欄２２１、発注合計金額を上位カテゴリ単位で集計した上位カテゴリ別発注合計金額が表示される上位カテゴリ別発注合計金額表示欄２２２、パターン名称が表示されるパターン名称表示欄２２３、下位カテゴリ名称が表示される下位カテゴリ名称表示欄２２４、メーカー名称が表示されるメーカー名称表示欄２２５、部品グループ名称が表示される部品グループ名称表示欄２２６、データが登録・更新された日が表示されるデータ更新日表示欄２２７、部品画像が表示される部品画像表示欄２２８、属性種別が表示される属性種別表示欄２２９、属性値が表示される属性値表示欄２３０、確定した品番が表示される品番表示欄２３１、確定した発注単価が表示される発注単価表示欄２３２、確定した発注数量が表示される発注数量表示欄２３３、下位カテゴリの発注合計金額が表示される下位カテゴリ発注合計金額表示欄２３４等があり、これらの表示欄に表示される情報は、パターン別に編集表示され、さらに、この同一パターンの中で、下位カテゴリ別に編集表示されるものとなっている。
【０２５２】
また、上位カテゴリ選択メニュー２１２の右側に配置されている［表示］ボタン２１３のさらに右側に配置されている［印刷］ボタン２１４を押下することにより、図２５に示す仕様確定済部品の属性情報（仕様情報）の一覧が、プリンターに出力される。
【０２５３】
なお、この仕様確定済部品一覧照会画面２１０についても、顧客モード画面と担当者モード画面と、があり、図２５には、担当者モードの仕様確定済部品一覧照会画面２１０が示されている。
【０２５４】
担当者モードとなっている仕様確定済部品一覧照会画面２１０の右最上部には、各種の帳票を出力するための［帳票出力］ボタン２４０が配置されており、図２６には、この［帳票出力］ボタン２４０が押下されたときに表示されるラジオボタン形式の出力帳票選択メニューウィンドウ１９０が示されている。この出力帳票選択メニューウィンドウ１９０において、出力するシート項目の左側に配置されているラジオボタンを押下し、［ＯＫ］ボタン１９０Ａを押下することにより、出力指定した帳票の出力処理が実行される。一方、［キャンセル］ボタン１９０Ｂを押下することにより、この出力帳票選択メニューウィンドウ１９０は画面から消去され、仕様確定済部品一覧照会画面２１０へ戻る。なお、出力帳票選択メニューウィンドウ１９０による出力帳票の選択処理は、サーバ１の出力帳票選択受付処理手段５１により実行される。
【０２５５】
図２７には、図２６の出力帳票選択メニューウィンドウ１９０において、出力するシートとして「図面指示シート」を選択し、［ＯＫ］ボタン１９０Ａを押下したときに表示される図面指示シート作成処理開始確認ウィンドウ１９１が示されている。なお、［ＯＫ］ボタン１９０Ａが押下されると、サーバ１の図面指示シート作成処理手段５２による処理の実行が開始される。
【０２５６】
なお、図面指示シートは、図１６に示す部品カテゴリカード座標情報入力画面１５０において、顧客の住宅図面に部品カテゴリカードが配置された後におけるこの顧客の住宅図面を、表計算ソフトウェアで読み込み可能なスプレッドシート形式のデータに変換した帳票である。
【０２５７】
この図面指示シート作成処理開始確認ウィンドウ１９１において、［ＯＫ］ボタン１９１Ａが押下されると、サーバ１の図面指示シート作成処理手段５２による図面指示シート作成処理の実行が開始される。一方、［キャンセル］ボタン１９１Ｂが押下されると、処理が中止され、図２５の仕様確定済部品一覧照会画面２１０へ戻る。
【０２５８】
なお、図面指示シート作成処理手段５２は、現在処理対象の顧客の顧客ＩＤとプランＩＤに基づいて、サーバ１の所定のフォルダ内を検索し、このフォルダ内に保存されている当該顧客の住宅図面画像情報ファイル１５（図１５の部品カテゴリカード座標情報入力画面１５０の［図面登録］ボタン１５２の押下によりアップロードされた住宅図面の画像データ）を取得する。住宅部品カテゴリパターン座標情報テーブル１２に記憶されているレコードのデータ項目である図面番号は、取得した住宅図面画像情報ファイル１５のファイル名の一部となっている。このため、図面指示シート作成処理手段５２は、住宅部品カテゴリパターン座標情報テーブル１２に記憶されている当該顧客のレコードの図面番号と対応する住宅図面に、図１５に示されている部品カテゴリカード１７１と同様のカードを、住宅部品カテゴリパターン座標情報テーブル１２に記憶されている座標情報に基づいて配置する処理を実行する。
【０２５９】
例えば、住宅部品カテゴリパターン座標情報テーブル１２に記憶された当該顧客のそれぞれのレコードのうち、図面番号が「１」のレコードについては、ファイル名の一部となっている図面番号が「１」の住宅図面の所定の座標位置に、部品カテゴリカード１７１が配置されることになる。
【０２６０】
この後、サーバ１の図面指示シート作成処理手段５２による図面指示シート作成処理が終了すると、サーバ１の図面指示シートダウンロード処理手段５３による処理の実行が開始され、図２８に示す図面指示シートダウンロード処理開始確認ウィンドウ１９２が表示される。
【０２６１】
この図面指示シートダウンロード処理開始確認ウィンドウ１９２において、［保存（Ｓ）］ボタン１９２Ａが押下されると、図２９に示す図面指示シート保存先指定ウィンドウ１９３が表示され、［キャンセル］ボタン１９２Ｂが押下されると、処理が中止され、図２５の仕様確定済部品一覧照会画面２１０へ戻る。
【０２６２】
なお、図面指示シートダウンロード処理開始確認ウィンドウ１９２の図面指示シートファイル名称表示欄１９２Ｃに表示されているように、図面指示シートのデフォルトのファイル名は、契約Ｎｏと、文字列「＿図面指示シート＿」と、サーバ１のシステム日付と、を連結した文字列となる。
【０２６３】
図２９に示すように、図面指示シート保存先指定ウィンドウ１９３では、図面指示シートの保存先のドライブ名、フォルダ名の指定と、図面指示シートファイル名称入力欄１９３Ｃでのファイル名の変更ができるようになっている。このウィンドウ１９３において、保存先のドライブ名、フォルダ名の指定、ファイル名の変更が終了した後、［保存（Ｓ）］ボタン１９３Ａが押下されると、指定したドライブ、フォルダに、指定したファイル名で、スプレッドシート形式の図面指示シートファイルが端末装置３の記憶装置に保存される。なお、［キャンセル］ボタン１９３Ｂが押下されると、処理が中止され、図２５の仕様確定済部品一覧照会画面２１０へ戻る。
【０２６４】
図３０と図３１は、端末装置３にダウンロードされた図面指示シート３００を、端末装置３にインストールされている表計算ソフトウェアで読みことにより、端末装置３のディスプレイに表示された図面指示シート３００を示す図であり、図３０には、図面指示シート３００の１階部分が示されており、図３１には、図面指示シート３００の２階部分が示されている。
【０２６５】
図３０に示されているように、図面指示シート３００の１階部分のバスユニットの図形又はその近傍には、「バスユニットシリーズ・グレード＞＞Ｎｏ．１」の部品カテゴリカード１７１Ａが配置され、図３１に示されているように、図面指示シート３００の２階部分のバスユニットの図形又はその近傍には、「バスユニットシリーズ・グレード＞＞Ｎｏ．２」の部品カテゴリカード１７１Ａが配置されている。
【０２６６】
この図面指示シート３００の各セルには、このシート３００を読み込んだ表計算ソフトウェアにより、コメントや補足事項等の文字情報が自由に書き込めるようになっている。
【０２６７】
なお、この図面指示シート３００は、このシート３００を読み込んだ表計算ソフトウェアの印刷機能により、プリンターに出力させることができ、印刷された図面指示シート３００を、住宅メーカーの設計部門の担当者に渡すことにより、この担当者は、印刷された図面指示シート３００を参照しながら、ＣＡＤシステムで作成された顧客の住宅図面に部品を配置する作業を効率的に行うことができるようになる。
【０２６８】
以上説明した本実施形態では、顧客の住宅図面における部品の座標情報を入力させるための住宅部品座標情報入力画面となっている部品カテゴリカード座標情報入力画面１５０は、図１５に示すように、顧客の住宅図面が表示される住宅図面表示領域１５５と、この住宅図面表示領域１５５の住宅図面に配置する部品カテゴリカード１７１がプールされる部品カテゴリカードプール領域１７０と、を含んで構成されている。
【０２６９】
そして、本実施形態では、部品カテゴリカードプール領域１７０にプールされ、部品の下位カテゴリとパターン情報を有する部品カテゴリカード１７１を、マウスのドラッグ操作で住宅図面表示領域１５５の住宅図面の所定の位置まで移動することにより、顧客の住宅図面における部品の下位カテゴリの位置情報である座標情報が決定される。
【０２７０】
前述したように、従来の住宅仕様確定システムでは、顧客の住宅図面におけるこの顧客の住宅を構成する部品の位置情報は文字情報となっており、このため、住宅メーカーの営業担当者がこの文字情報を上記システムに入力する作業は、非常に煩わしいものとなり、住宅仕様を確定するための顧客との打合せに時間が掛かる要因となっていた。
【０２７１】
しかし、本実施形態では、部品の位置情報（本実施形態では部品の下位カテゴリの位置情報）は、従来のような端末装置で入力した文字情報ではなく、端末装置からサーバにアップロードした顧客の住宅図面における部品の座標情報、すなわち、数値情報を端末装置で入力するものとなっている。しかも、座標情報の入力は、部品の下位カテゴリ情報をカード表示化した部品カテゴリカード１７１を、マウスのドラッグ操作で住宅図面の位置まで移動するだけで済むようになる。すなわち、座標情報の入力は、視覚的に容易に行うことできるようになる。
【０２７２】
このため、住宅メーカーの営業担当者が部品の位置情報をシステムに入力する作業は、従来と比較してより簡単なものとなり、部品の位置情報の確定をより迅速に行うことができる。
【０２７３】
このように、本実施形態によると、顧客の住宅図面におけるこの顧客の住宅を構成する部品の位置情報の確定作業の効率化を図れるようになる。
【０２７４】
また、本実施形態では、部品カテゴリカードプール領域１７０の枠外の右側には、この部品カテゴリカードプール領域１７０にプールされている部品カテゴリカード１７１を複製するための［複製］ボタン１７２と、この［複製］ボタン１７２により複製された部品カテゴリカード１７１を削除するための［削除］ボタン１７３が配置されている。
【０２７５】
このため、本実施形態によると、住宅図面表示領域１５５の住宅図面に配置する部品カテゴリカード１７１の複製、削除を効率よく行うことができるようになる。特に、住宅に多数設置される部品（例えば、照明器具等）に対しては、住宅図面に配置する部品カテゴリカード１７１が多数必要となるため、このような場合に［複製］ボタン１７２の存在は特に有効なものとなる。
【産業上の利用可能性】
【０２７６】
本発明は、住宅仕様の確定を支援するための住宅仕様確定支援システムに利用できる。
【符号の説明】
【０２７７】
１  サーバ
２  ネットワーク
３  端末装置
１１  住宅仕様情報記憶処理手段である住宅仕様情報テーブル
１２  住宅部品カテゴリパターン座標情報記憶手段である住宅部品カテゴリパターン座標情報テーブル
１３  住宅部品カテゴリパターン情報記憶手段である住宅部品カテゴリパターン情報テーブル
２０  部品カテゴリ情報記憶手段である部品カテゴリ情報マスタ
２１  部品カテゴリパターン情報記憶手段である部品カテゴリパターン情報マスタ
３３  下位カテゴリ選択受付処理手段
３５  住宅仕様情報登録処理手段
３６  住宅図面アップロード処理手段
３７  住宅部品座標情報選択入力受付処理手段である部品カテゴリカード座標情報入力受付処理手段
３８  部品カテゴリカード配置処理手段
３９  部品カテゴリカード座標情報取得処理手段
４０  住宅部品カテゴリカードパターン情報入力受付処理手段
５２  部品カテゴリカード配置後住宅図面作成処理手段である図面指示シート作成処理手段
５３  部品カテゴリカード配置後住宅図面ダウンロード処理手段である図面指示シートダウンロード処理手段
７０  下位カテゴリ表示・選択画面
１５０  住宅部品座標情報入力画面である部品カテゴリカード座標情報入力画面
１６０  住宅部品カテゴリパターン情報入力画面であるパターン編集画面
１７１  部品カテゴリカード
１７２  複製ボタン
１７３  削除ボタン
２０１，２０２  住宅図面
３００  部品カテゴリカード配置後住宅図面である図面指示シート
【図１】
0005875715.tif 000002
【図２】
0005875715.tif 000003
【図３】
0005875715.tif 000004
【図４】
0005875715.tif 000005
【図５】
0005875715.tif 000006
【図６】
0005875715.tif 000007
【図７】
0005875715.tif 000008
【図８】
0005875715.tif 000009
【図９】
0005875715.tif 000010
【図１０】
0005875715.tif 000011
【図１１】
0005875715.tif 000012
【図１２】
0005875715.tif 000013
【図１３】
0005875715.tif 000014
【図１４】
0005875715.tif 000015
【図１５】
0005875715.tif 000016
【図１６】
0005875715.tif 000017
【図１７】
0005875715.tif 000018
【図１８】
0005875715.tif 000019
【図１９】
0005875715.tif 000020
【図２０】
0005875715.tif 000021
【図２１】
0005875715.tif 000022
【図２２】
0005875715.tif 000023
【図２３】
0005875715.tif 000024
【図２４】
0005875715.tif 000025
【図２５】
0005875715.tif 000026
【図２６】
0005875715.tif 000027
【図２７】
0005875715.tif 000028
【図２８】
0005875715.tif 000029
【図２９】
0005875715.tif 000030
【図３０】
0005875715.tif 000031
【図３１】
0005875715.tif 000032